(57)【要約】【課題】リフレクタの反射面の見え方のバリエーションを増加させる。【解決手段】凹状のリフレクタ2a,2bの内側の反射面2a1,2b1を回転放物面によって構成し、ＬＥＤ光源1aの光軸1a'に略平行な中心軸線2'を中心にリフレクタ2a,2bがＬＥＤ光源1aに対して回転するＬＥＤ照明装置100において、リフレクタ2a,2bの内側反射面2a1,2b1の焦点2a1a,2b1aを通り、中心軸線2'を中心とする円CR上にＬＥＤ光源1aの発光面を配置し、リフレクタ2bの内側反射面2b1がリフレクタ2aの外側反射面2a2の側に移動するように、中心軸線2'を中心にＬＥＤ光源1aに対して相対的に回転するリフレクタ2aの外側反射面2a2を観察位置VPから見ると、最初に、リフレクタ2aの外側反射面2a2の部分2a2aが光って見え、次いで、部分2a2aより中心軸線2'に近い部分2a2bが光って見え、次いで、部分2a2bより中心軸線2'に近い部分2a2cが光って見える。【選択図】図１
2013197066.tif 000002
【特許請求の範囲】
【請求項１】
第１ＬＥＤ光源（１ａ）と、
第１ＬＥＤ光源（１ａ）からの光を反射するための凹状の第１リフレクタ（２ａ）と、第１ＬＥＤ光源（１ａ）からの光を反射するための凹状の第２リフレクタ（２ｂ）とを有するリフレクタ群（２）とを具備し、
凹状の第１リフレクタ（２ａ）の内側表面に内側反射面（２ａ１）を形成すると共に、第１リフレクタ（２ａ）の内側反射面（２ａ１）を回転放物面によって構成し、
凹状の第２リフレクタ（２ｂ）の内側表面に内側反射面（２ｂ１）を形成すると共に、第２リフレクタ（２ｂ）の内側反射面（２ｂ１）を回転放物面によって構成し、
第１ＬＥＤ光源（１ａ）の光軸（１ａ’）に略平行なリフレクタ群（２）の中心軸線（２’）を中心に第１リフレクタ（２ａ）および第２リフレクタ（２ｂ）が第１ＬＥＤ光源（１ａ）に対して相対的に回転するように、第１ＬＥＤ光源（１ａ）とリフレクタ群（２）とを構成し、
回転放物面によって構成された第１リフレクタ（２ａ）の内側反射面（２ａ１）の焦点（２ａ１ａ）を通る回転中心軸（２ａ１’）を、第１ＬＥＤ光源（１ａ）の光軸（１ａ’）に垂直に配置し、
回転放物面によって構成された第２リフレクタ（２ｂ）の内側反射面（２ｂ１）の焦点（２ｂ１ａ）を通る回転中心軸（２ｂ１’）を、第１ＬＥＤ光源（１ａ）の光軸（１ａ’）に垂直に配置し、
第１リフレクタ（２ａ）の内側反射面（２ａ１）の回転中心軸（２ａ１’）と第２リフレクタ（２ｂ）の内側反射面（２ｂ１）の回転中心軸（２ｂ１’）とを含む第１平面（ＰＬ１）の一方の側に第１リフレクタ（２ａ）および第２リフレクタ（２ｂ）が存在せず、第１平面（ＰＬ１）の他方の側に第１リフレクタ（２ａ）および第２リフレクタ（２ｂ）が存在するように、第１リフレクタ（２ａ）および第２リフレクタ（２ｂ）を形成し、
第１ＬＥＤ光源（１ａ）の発光面が第１リフレクタ（２ａ）の内側反射面（２ａ１）および第２リフレクタ（２ｂ）の内側反射面（２ｂ１）に対向するように、第１ＬＥＤ光源（１ａ）を配置したＬＥＤ照明装置（１００）において、
中心軸線（２’）を中心に回転可能な回転軸部（２ｇ）を設けると共に、回転軸部（２ｇ）を中心軸線（２’）上に配置し、
凹状の第１リフレクタ（２ａ）の外側表面に外側反射面（２ａ２）を形成し、
第１リフレクタ（２ａ）の内側反射面（２ａ１）をオフセットさせた回転放物面を基本とする曲面によって、第１リフレクタ（２ａ）の外側反射面（２ａ２）を構成し、
凹状の第２リフレクタ（２ｂ）の外側表面に外側反射面（２ｂ２）を形成し、
第２リフレクタ（２ｂ）の内側反射面（２ｂ１）をオフセットさせた回転放物面を基本とする曲面によって、第２リフレクタ（２ｂ）の外側反射面（２ｂ２）を構成し、
第１リフレクタ（２ａ）と第２リフレクタ（２ｂ）とを同一形状に形成し、
第１リフレクタ（２ａ）と第２リフレクタ（２ｂ）とが中心軸線（２’）を中心とする９０°以下の回転対称の関係を有するように、かつ、第１リフレクタ（２ａ）の外側反射面（２ａ２）と第２リフレクタ（２ｂ）の内側反射面（２ｂ１）とが対向するように、第１リフレクタ（２ａ）および第２リフレクタ（２ｂ）を回転軸部（２ｇ）に接続し、
第１ＬＥＤ光源（１ａ）の光軸（１ａ’）を中心軸線（２’）から離間させて配置し、
中心軸線（２’）を中心とする円（ＣＲ）上であって、第１リフレクタ（２ａ）の内側反射面（２ａ１）の焦点（２ａ１ａ）と第２リフレクタ（２ｂ）の内側反射面（２ｂ１）の焦点（２ｂ１ａ）とを通る円（ＣＲ）上に第１ＬＥＤ光源（１ａ）の発光面を配置し、
第１ＬＥＤ光源（１ａ）の光軸（１ａ’）と中心軸線（２’）とを含む第２平面（ＰＬ２）上に位置し、かつ、第１ＬＥＤ光源（１ａ）の光軸（１ａ’）を隔てて中心軸線（２’）の反対側に位置する観察位置（ＶＰ）であって、第１リフレクタ（２ａ）の外側反射面（２ａ２）および第２リフレクタ（２ｂ）の外側反射面（２ｂ２）に対向する観察位置（ＶＰ）から第１リフレクタ（２ａ）の外側反射面（２ａ２）を見ると、
第２リフレクタ（２ｂ）の内側反射面（２ｂ１）が第１リフレクタ（２ａ）の外側反射面（２ａ２）の側に移動するように、第１リフレクタ（２ａ）および第２リフレクタ（２ｂ）が中心軸線（２’）を中心に第１ＬＥＤ光源（１ａ）に対して相対的に回転する場合に、
まず最初に、第２リフレクタ（２ｂ）の内側反射面（２ｂ１）の焦点（２ｂ１ａ）を隔てて第２リフレクタ（２ｂ）の内側反射面（２ｂ１）の反対側に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）の第１部分（２ａ２ａ）が光って見え、
次いで、第２リフレクタ（２ｂ）の内側反射面（２ｂ１）の焦点（２ｂ１ａ）上に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第１部分（２ａ２ａ）よりも中心軸線（２’）に近い第２部分（２ａ２ｂ）が光って見え、
次いで、第２リフレクタ（２ｂ）の内側反射面（２ｂ１）の焦点（２ｂ１ａ）と第２リフレクタ（２ｂ）の内側反射面（２ｂ１）との間に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第２部分（２ａ２ｂ）よりも中心軸線（２’）に近い第３部分（２ａ２ｃ）が光って見えることを特徴とするＬＥＤ照明装置（１００）。
【請求項２】
第１リフレクタ（２ａ）および第２リフレクタ（２ｂ）を含め合計でＮ個（Ｎは４以上の整数）のリフレクタ（２ａ，２ｂ，２ｃ，２ｄ，…）を設け、
Ｎ個のリフレクタ（２ａ，２ｂ，２ｃ，２ｄ，…）を同一形状に形成し、
Ｎ個のリフレクタ（２ａ，２ｂ，２ｃ，２ｄ，…）が中心軸線（２’）を中心とする（３６０／Ｎ）°回転対称の関係を有するように、かつ、第２リフレクタ（２ｂ）の外側反射面（２ｂ２）と第３リフレクタ（２ｃ）の内側反射面（２ｃ１）とが対向するように、かつ、第３リフレクタ（２ｃ）の外側反射面（２ｃ２）と第４リフレクタ（２ｄ）の内側反射面（２ｄ１）とが対向するように、Ｎ個のリフレクタ（２ａ，２ｂ，２ｃ，２ｄ，…）を回転軸部（２ｇ）に接続し、
観察位置（ＶＰ）から第１リフレクタ（２ａ）の外側反射面（２ａ２）、第２リフレクタ（２ｂ）の外側反射面（２ｂ２）、および、第３リフレクタ（２ｃ）の外側反射面（２ｃ２）を見ると、
第２リフレクタ（２ｂ）の内側反射面（２ｂ１）が第１リフレクタ（２ａ）の外側反射面（２ａ２）の側に移動するように、Ｎ個のリフレクタ（２ａ，２ｂ，２ｃ，２ｄ，…）が中心軸線（２’）を中心に第１ＬＥＤ光源（１ａ）に対して相対的に回転する場合に、
まず最初に、第２リフレクタ（２ｂ）の内側反射面（２ｂ１）の焦点（２ｂ１ａ）を隔てて第２リフレクタ（２ｂ）の内側反射面（２ｂ１）の反対側に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）の第１部分（２ａ２ａ）が光って見え、
次いで、第２リフレクタ（２ｂ）の内側反射面（２ｂ１）の焦点（２ｂ１ａ）上に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第１部分（２ａ２ａ）よりも中心軸線（２’）に近い第２部分（２ａ２ｂ）が光って見え、
次いで、第２リフレクタ（２ｂ）の内側反射面（２ｂ１）の焦点（２ｂ１ａ）と第２リフレクタ（２ｂ）の内側反射面（２ｂ１）との間に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第２部分（２ａ２ｂ）よりも中心軸線（２’）に近い第３部分（２ａ２ｃ）が光って見え、
次いで、第３リフレクタ（２ｃ）の内側反射面（２ｃ１）の焦点（２ｃ１ａ）を隔てて第３リフレクタ（２ｃ）の内側反射面（２ｃ１）の反対側に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）の第１部分（２ｂ２ａ’）が光って見え、
次いで、第３リフレクタ（２ｃ）の内側反射面（２ｃ１）の焦点（２ｃ１ａ）上に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）のうち、第１部分（２ｂ２ａ’）よりも中心軸線（２’）に近い第２部分（２ｂ２ｂ’）が光って見え、
次いで、第３リフレクタ（２ｃ）の内側反射面（２ｃ１）の焦点（２ｃ１ａ）と第３リフレクタ（２ｃ）の内側反射面（２ｃ１）との間に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）のうち、第２部分（２ｂ２ｂ’）よりも中心軸線（２’）に近い第３部分（２ｂ２ｃ’）が光って見え、
次いで、第４リフレクタ（２ｄ）の内側反射面（２ｄ１）の焦点（２ｄ１ａ）を隔てて第４リフレクタ（２ｄ）の内側反射面（２ｄ１）の反対側に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）の第１部分（２ｃ２ａ）が光って見え、
次いで、第４リフレクタ（２ｄ）の内側反射面（２ｄ１）の焦点（２ｄ１ａ）上に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）のうち、第１部分（２ｃ２ａ）よりも中心軸線（２’）に近い第２部分（２ｃ２ｂ）が光って見え、
次いで、第４リフレクタ（２ｄ）の内側反射面（２ｄ１）の焦点（２ｄ１ａ）と第４リフレクタ（２ｄ）の内側反射面（２ｄ１）との間に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）のうち、第２部分（２ｃ２ｂ）よりも中心軸線（２’）に近い第３部分（２ｃ２ｃ）が光って見えることを特徴とする請求項１に記載のＬＥＤ照明装置（１００）。
【請求項３】
第１ＬＥＤ光源（１ａ）を含め合計でＮ個のＬＥＤ光源（１ａ，１ｂ，１ｃ，１ｄ，…）を設け、
第１ＬＥＤ光源（１ａ）の光軸（１ａ’）と他のＬＥＤ光源（１ｂ，１ｃ，１ｄ，…）の光軸（１ｂ’，１ｃ’，１ｄ’，…）とが互いに略平行になるように、Ｎ個のＬＥＤ光源（１ａ，１ｂ，１ｃ，１ｄ，…）の発光面を円（ＣＲ）上に等間隔に配列し、
第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）が光って見える時に、
第２ＬＥＤ光源（１ｂ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）が光って見えるように、Ｎ個のリフレクタ（２ａ，２ｂ，２ｃ，２ｄ，…）の外側反射面（２ａ２，２ｂ２，２ｃ２，２ｄ２，…）を形成したことを特徴とする請求項２に記載のＬＥＤ照明装置（１００）。
【請求項４】
第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）が光って見える時に、第１ＬＥＤ光源（１ａ）の発光面から照射され、第２リフレクタ（２ｂ）の内側反射面（２ｂ１）によって反射された光の一部、および／または、第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射された光の一部を反射して観察位置（ＶＰ）に到達させるための固定リフレクタ（３ａ１）を設け、
固定リフレクタ（３ａ１）をＮ個のＬＥＤ光源（１ａ，１ｂ，１ｃ，１ｄ，…）に対して相対的に固定し、
固定リフレクタ（３ａ１）をリフレクタ群（２）から離間させて配置したことを特徴とする請求項３に記載のＬＥＤ照明装置（１００）。
【請求項５】
Ｎ個のＬＥＤ光源（１ａ，１ｂ，１ｃ，１ｄ，…）からの直射光の一部が固定リフレクタ（３ａ１）に到達するための隙間（４ａ，４ｂ，４ｃ，４ｄ，…）をＮ個のリフレクタ（２ａ，２ｂ，２ｃ，２ｄ，…）の相互間に設け、
Ｎ個のＬＥＤ光源（１ａ，１ｂ，１ｃ，１ｄ，…）から照射され、隙間（４ａ，４ｂ，４ｃ，４ｄ，…）を透過し、固定リフレクタ（３ａ１）によって反射された光の一部が観察位置（ＶＰ）に到達することを特徴とする請求項４に記載のＬＥＤ照明装置（１００）。
【発明の詳細な説明】
【技術分野】
【０００１】
本発明は、ＬＥＤ光源からの光を反射する凹状の第１リフレクタと、ＬＥＤ光源からの光を反射する凹状の第２リフレクタとを具備し、凹状の第１リフレクタの内側の反射面を回転放物面によって構成し、凹状の第２リフレクタの内側の反射面を回転放物面によって構成し、ＬＥＤ光源の光軸に略平行な第１リフレクタおよび第２リフレクタの中心軸線を中心に第１リフレクタおよび第２リフレクタがＬＥＤ光源に対して相対的に回転するように、ＬＥＤ光源と第１リフレクタと第２リフレクタとを構成したＬＥＤ照明装置に関する。
【０００２】
特に、本発明は、リフレクタの反射面の見え方のバリエーションを増加させることができるＬＥＤ照明装置に関する。
【背景技術】
【０００３】
従来から、ＬＥＤ光源からの光を反射する凹状の第１リフレクタと、ＬＥＤ光源からの光を反射する凹状の第２リフレクタとを具備し、凹状の第１リフレクタの内側の反射面を回転放物面によって構成し、凹状の第２リフレクタの内側の反射面を回転放物面によって構成し、ＬＥＤ光源の光軸に略平行な第１リフレクタおよび第２リフレクタの中心軸線を中心に第１リフレクタおよび第２リフレクタがＬＥＤ光源に対して相対的に回転するように、ＬＥＤ光源と第１リフレクタと第２リフレクタとを構成したＬＥＤ照明装置が知られている。この種のＬＥＤ照明装置の例としては、例えば特許文献１（特開２００７−２９４２７１号公報）に記載されたものがある。
【０００４】
特許文献１に記載されたＬＥＤ照明装置では、回転放物面によって構成された第１リフレクタの内側の反射面の焦点を通る回転中心軸が、ＬＥＤ光源の光軸に垂直に配置されている。また、回転放物面によって構成された第２リフレクタの内側の反射面の焦点を通る回転中心軸が、ＬＥＤ光源の光軸に垂直に配置されている。更に、第１リフレクタの内側の反射面の回転中心軸と第２リフレクタの内側の反射面の回転中心軸とを含む水平面の下側に第１リフレクタおよび第２リフレクタが存在せず、その水平面の上側に第１リフレクタおよび第２リフレクタが存在するように、第１リフレクタおよび第２リフレクタが形成されている。また、ＬＥＤ光源の発光面が第１リフレクタの内側の反射面および第２リフレクタの内側の反射面に対向するように、ＬＥＤ光源が配置されている。
【先行技術文献】
【特許文献】
【０００５】
【特許文献１】特開２００７−２９４２７１号公報
【発明の概要】
【発明が解決しようとする課題】
【０００６】
ところで、特許文献１に記載されたＬＥＤ照明装置では、ＬＥＤ光源の光軸と、第１リフレクタおよび第２リフレクタの中心軸線とが一致せしめられている。そのため、特許文献１に記載されたＬＥＤ照明装置では、ＬＥＤ光源の光軸を含む鉛直面上に位置する観察位置であって、第１リフレクタの内側の反射面および第２リフレクタの内側の反射面に対向する観察位置から第１リフレクタの内側の反射面および第２リフレクタの内側の反射面を見ると、第１リフレクタおよび第２リフレクタが中心軸線を中心にＬＥＤ光源に対して相対的に回転する場合、第１リフレクタの内側の反射面および第２リフレクタの内側の反射面が観察位置に対向する時に、ＬＥＤ光源の発光面から照射され、第１リフレクタの内側の反射面によって反射され、観察位置に到達する光により、第１リフレクタの内側の反射面が光って見えると共に、ＬＥＤ光源の発光面から照射され、第２リフレクタの内側の反射面によって反射され、観察位置に到達する光により、第２リフレクタの内側の反射面が光って見える。
【０００７】
一方、特許文献１に記載されたＬＥＤ照明装置では、第１リフレクタの内側の反射面および第２リフレクタの内側の反射面が観察位置に対向しない時に、ＬＥＤ光源の発光面から照射された光が観察位置に全く到達せず、その結果、第１リフレクタおよび第２リフレクタが暗く見える。
【０００８】
つまり、特許文献１に記載されたＬＥＤ照明装置では、第１リフレクタおよび第２リフレクタが中心軸線を中心にＬＥＤ光源に対して相対的に回転している時に、観察位置から第１リフレクタおよび第２リフレクタを見ると、第１リフレクタおよび第２リフレクタの見え方が、第１リフレクタの内側の反射面および第２リフレクタの内側の反射面が光って見える見え方と、第１リフレクタおよび第２リフレクタが暗く見える見え方との２通りにしか変化しない。
【０００９】
前記問題点に鑑み、本発明は、リフレクタの反射面の見え方のバリエーションを増加させることができるＬＥＤ照明装置を提供することを目的とする。
【課題を解決するための手段】
【００１０】
請求項１に記載の発明によれば、第１ＬＥＤ光源（１ａ）と、
第１ＬＥＤ光源（１ａ）からの光を反射するための凹状の第１リフレクタ（２ａ）と、第１ＬＥＤ光源（１ａ）からの光を反射するための凹状の第２リフレクタ（２ｂ）とを有するリフレクタ群（２）とを具備し、
凹状の第１リフレクタ（２ａ）の内側表面に内側反射面（２ａ１）を形成すると共に、第１リフレクタ（２ａ）の内側反射面（２ａ１）を回転放物面によって構成し、
凹状の第２リフレクタ（２ｂ）の内側表面に内側反射面（２ｂ１）を形成すると共に、第２リフレクタ（２ｂ）の内側反射面（２ｂ１）を回転放物面によって構成し、
第１ＬＥＤ光源（１ａ）の光軸（１ａ’）に略平行なリフレクタ群（２）の中心軸線（２’）を中心に第１リフレクタ（２ａ）および第２リフレクタ（２ｂ）が第１ＬＥＤ光源（１ａ）に対して相対的に回転するように、第１ＬＥＤ光源（１ａ）とリフレクタ群（２）とを構成し、
回転放物面によって構成された第１リフレクタ（２ａ）の内側反射面（２ａ１）の焦点（２ａ１ａ）を通る回転中心軸（２ａ１’）を、第１ＬＥＤ光源（１ａ）の光軸（１ａ’）に垂直に配置し、
回転放物面によって構成された第２リフレクタ（２ｂ）の内側反射面（２ｂ１）の焦点（２ｂ１ａ）を通る回転中心軸（２ｂ１’）を、第１ＬＥＤ光源（１ａ）の光軸（１ａ’）に垂直に配置し、
第１リフレクタ（２ａ）の内側反射面（２ａ１）の回転中心軸（２ａ１’）と第２リフレクタ（２ｂ）の内側反射面（２ｂ１）の回転中心軸（２ｂ１’）とを含む第１平面（ＰＬ１）の一方の側に第１リフレクタ（２ａ）および第２リフレクタ（２ｂ）が存在せず、第１平面（ＰＬ１）の他方の側に第１リフレクタ（２ａ）および第２リフレクタ（２ｂ）が存在するように、第１リフレクタ（２ａ）および第２リフレクタ（２ｂ）を形成し、
第１ＬＥＤ光源（１ａ）の発光面が第１リフレクタ（２ａ）の内側反射面（２ａ１）および第２リフレクタ（２ｂ）の内側反射面（２ｂ１）に対向するように、第１ＬＥＤ光源（１ａ）を配置したＬＥＤ照明装置（１００）において、
中心軸線（２’）を中心に回転可能な回転軸部（２ｇ）を設けると共に、回転軸部（２ｇ）を中心軸線（２’）上に配置し、
凹状の第１リフレクタ（２ａ）の外側表面に外側反射面（２ａ２）を形成し、
第１リフレクタ（２ａ）の内側反射面（２ａ１）をオフセットさせた回転放物面を基本とする曲面によって、第１リフレクタ（２ａ）の外側反射面（２ａ２）を構成し、
凹状の第２リフレクタ（２ｂ）の外側表面に外側反射面（２ｂ２）を形成し、
第２リフレクタ（２ｂ）の内側反射面（２ｂ１）をオフセットさせた回転放物面を基本とする曲面によって、第２リフレクタ（２ｂ）の外側反射面（２ｂ２）を構成し、
第１リフレクタ（２ａ）と第２リフレクタ（２ｂ）とを同一形状に形成し、
第１リフレクタ（２ａ）と第２リフレクタ（２ｂ）とが中心軸線（２’）を中心とする９０°以下の回転対称の関係を有するように、かつ、第１リフレクタ（２ａ）の外側反射面（２ａ２）と第２リフレクタ（２ｂ）の内側反射面（２ｂ１）とが対向するように、第１リフレクタ（２ａ）および第２リフレクタ（２ｂ）を回転軸部（２ｇ）に接続し、
第１ＬＥＤ光源（１ａ）の光軸（１ａ’）を中心軸線（２’）から離間させて配置し、
中心軸線（２’）を中心とする円（ＣＲ）上であって、第１リフレクタ（２ａ）の内側反射面（２ａ１）の焦点（２ａ１ａ）と第２リフレクタ（２ｂ）の内側反射面（２ｂ１）の焦点（２ｂ１ａ）とを通る円（ＣＲ）上に第１ＬＥＤ光源（１ａ）の発光面を配置し、
第１ＬＥＤ光源（１ａ）の光軸（１ａ’）と中心軸線（２’）とを含む第２平面（ＰＬ２）上に位置し、かつ、第１ＬＥＤ光源（１ａ）の光軸（１ａ’）を隔てて中心軸線（２’）の反対側に位置する観察位置（ＶＰ）であって、第１リフレクタ（２ａ）の外側反射面（２ａ２）および第２リフレクタ（２ｂ）の外側反射面（２ｂ２）に対向する観察位置（ＶＰ）から第１リフレクタ（２ａ）の外側反射面（２ａ２）を見ると、
第２リフレクタ（２ｂ）の内側反射面（２ｂ１）が第１リフレクタ（２ａ）の外側反射面（２ａ２）の側に移動するように、第１リフレクタ（２ａ）および第２リフレクタ（２ｂ）が中心軸線（２’）を中心に第１ＬＥＤ光源（１ａ）に対して相対的に回転する場合に、
まず最初に、第２リフレクタ（２ｂ）の内側反射面（２ｂ１）の焦点（２ｂ１ａ）を隔てて第２リフレクタ（２ｂ）の内側反射面（２ｂ１）の反対側に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）の第１部分（２ａ２ａ）が光って見え、
次いで、第２リフレクタ（２ｂ）の内側反射面（２ｂ１）の焦点（２ｂ１ａ）上に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第１部分（２ａ２ａ）よりも中心軸線（２’）に近い第２部分（２ａ２ｂ）が光って見え、
次いで、第２リフレクタ（２ｂ）の内側反射面（２ｂ１）の焦点（２ｂ１ａ）と第２リフレクタ（２ｂ）の内側反射面（２ｂ１）との間に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第２部分（２ａ２ｂ）よりも中心軸線（２’）に近い第３部分（２ａ２ｃ）が光って見えることを特徴とするＬＥＤ照明装置（１００）が提供される。
【００１１】
請求項２に記載の発明によれば、第１リフレクタ（２ａ）および第２リフレクタ（２ｂ）を含め合計でＮ個（Ｎは４以上の整数）のリフレクタ（２ａ，２ｂ，２ｃ，２ｄ，…）を設け、
Ｎ個のリフレクタ（２ａ，２ｂ，２ｃ，２ｄ，…）を同一形状に形成し、
Ｎ個のリフレクタ（２ａ，２ｂ，２ｃ，２ｄ，…）が中心軸線（２’）を中心とする（３６０／Ｎ）°回転対称の関係を有するように、かつ、第２リフレクタ（２ｂ）の外側反射面（２ｂ２）と第３リフレクタ（２ｃ）の内側反射面（２ｃ１）とが対向するように、かつ、第３リフレクタ（２ｃ）の外側反射面（２ｃ２）と第４リフレクタ（２ｄ）の内側反射面（２ｄ１）とが対向するように、Ｎ個のリフレクタ（２ａ，２ｂ，２ｃ，２ｄ，…）を回転軸部（２ｇ）に接続し、
観察位置（ＶＰ）から第１リフレクタ（２ａ）の外側反射面（２ａ２）、第２リフレクタ（２ｂ）の外側反射面（２ｂ２）、および、第３リフレクタ（２ｃ）の外側反射面（２ｃ２）を見ると、
第２リフレクタ（２ｂ）の内側反射面（２ｂ１）が第１リフレクタ（２ａ）の外側反射面（２ａ２）の側に移動するように、Ｎ個のリフレクタ（２ａ，２ｂ，２ｃ，２ｄ，…）が中心軸線（２’）を中心に第１ＬＥＤ光源（１ａ）に対して相対的に回転する場合に、
まず最初に、第２リフレクタ（２ｂ）の内側反射面（２ｂ１）の焦点（２ｂ１ａ）を隔てて第２リフレクタ（２ｂ）の内側反射面（２ｂ１）の反対側に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）の第１部分（２ａ２ａ）が光って見え、
次いで、第２リフレクタ（２ｂ）の内側反射面（２ｂ１）の焦点（２ｂ１ａ）上に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第１部分（２ａ２ａ）よりも中心軸線（２’）に近い第２部分（２ａ２ｂ）が光って見え、
次いで、第２リフレクタ（２ｂ）の内側反射面（２ｂ１）の焦点（２ｂ１ａ）と第２リフレクタ（２ｂ）の内側反射面（２ｂ１）との間に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第２部分（２ａ２ｂ）よりも中心軸線（２’）に近い第３部分（２ａ２ｃ）が光って見え、
次いで、第３リフレクタ（２ｃ）の内側反射面（２ｃ１）の焦点（２ｃ１ａ）を隔てて第３リフレクタ（２ｃ）の内側反射面（２ｃ１）の反対側に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）の第１部分（２ｂ２ａ’）が光って見え、
次いで、第３リフレクタ（２ｃ）の内側反射面（２ｃ１）の焦点（２ｃ１ａ）上に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）のうち、第１部分（２ｂ２ａ’）よりも中心軸線（２’）に近い第２部分（２ｂ２ｂ’）が光って見え、
次いで、第３リフレクタ（２ｃ）の内側反射面（２ｃ１）の焦点（２ｃ１ａ）と第３リフレクタ（２ｃ）の内側反射面（２ｃ１）との間に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）のうち、第２部分（２ｂ２ｂ’）よりも中心軸線（２’）に近い第３部分（２ｂ２ｃ’）が光って見え、
次いで、第４リフレクタ（２ｄ）の内側反射面（２ｄ１）の焦点（２ｄ１ａ）を隔てて第４リフレクタ（２ｄ）の内側反射面（２ｄ１）の反対側に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）の第１部分（２ｃ２ａ）が光って見え、
次いで、第４リフレクタ（２ｄ）の内側反射面（２ｄ１）の焦点（２ｄ１ａ）上に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）のうち、第１部分（２ｃ２ａ）よりも中心軸線（２’）に近い第２部分（２ｃ２ｂ）が光って見え、
次いで、第４リフレクタ（２ｄ）の内側反射面（２ｄ１）の焦点（２ｄ１ａ）と第４リフレクタ（２ｄ）の内側反射面（２ｄ１）との間に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）のうち、第２部分（２ｃ２ｂ）よりも中心軸線（２’）に近い第３部分（２ｃ２ｃ）が光って見えることを特徴とする請求項１に記載のＬＥＤ照明装置（１００）が提供される。
【００１２】
請求項３に記載の発明によれば、第１ＬＥＤ光源（１ａ）を含め合計でＮ個のＬＥＤ光源（１ａ，１ｂ，１ｃ，１ｄ，…）を設け、
第１ＬＥＤ光源（１ａ）の光軸（１ａ’）と他のＬＥＤ光源（１ｂ，１ｃ，１ｄ，…）の光軸（１ｂ’，１ｃ’，１ｄ’，…）とが互いに略平行になるように、Ｎ個のＬＥＤ光源（１ａ，１ｂ，１ｃ，１ｄ，…）の発光面を円（ＣＲ）上に等間隔に配列し、
第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）が光って見える時に、
第２ＬＥＤ光源（１ｂ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）が光って見えるように、Ｎ個のリフレクタ（２ａ，２ｂ，２ｃ，２ｄ，…）の外側反射面（２ａ２，２ｂ２，２ｃ２，２ｄ２，…）を形成したことを特徴とする請求項２に記載のＬＥＤ照明装置（１００）が提供される。
【００１３】
請求項４に記載の発明によれば、第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）が光って見える時に、第１ＬＥＤ光源（１ａ）の発光面から照射され、第２リフレクタ（２ｂ）の内側反射面（２ｂ１）によって反射された光の一部、および／または、第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射された光の一部を反射して観察位置（ＶＰ）に到達させるための固定リフレクタ（３ａ１）を設け、
固定リフレクタ（３ａ１）をＮ個のＬＥＤ光源（１ａ，１ｂ，１ｃ，１ｄ，…）に対して相対的に固定し、
固定リフレクタ（３ａ１）をリフレクタ群（２）から離間させて配置したことを特徴とする請求項３に記載のＬＥＤ照明装置（１００）が提供される。
【００１４】
請求項５に記載の発明によれば、Ｎ個のＬＥＤ光源（１ａ，１ｂ，１ｃ，１ｄ，…）からの直射光の一部が固定リフレクタ（３ａ１）に到達するための隙間（４ａ，４ｂ，４ｃ，４ｄ，…）をＮ個のリフレクタ（２ａ，２ｂ，２ｃ，２ｄ，…）の相互間に設け、
Ｎ個のＬＥＤ光源（１ａ，１ｂ，１ｃ，１ｄ，…）から照射され、隙間（４ａ，４ｂ，４ｃ，４ｄ，…）を透過し、固定リフレクタ（３ａ１）によって反射された光の一部が観察位置（ＶＰ）に到達することを特徴とする請求項４に記載のＬＥＤ照明装置（１００）が提供される。
【発明の効果】
【００１５】
請求項１に記載のＬＥＤ照明装置（１００）では、第１ＬＥＤ光源（１ａ）と、第１ＬＥＤ光源（１ａ）からの光を反射するための凹状の第１リフレクタ（２ａ）と、第１ＬＥＤ光源（１ａ）からの光を反射するための凹状の第２リフレクタ（２ｂ）とを有するリフレクタ群（２）とが設けられている。また、凹状の第１リフレクタ（２ａ）の内側表面に内側反射面（２ａ１）が形成されている。更に、第１リフレクタ（２ａ）の内側反射面（２ａ１）が、回転放物面によって構成されている。
【００１６】
また、請求項１に記載のＬＥＤ照明装置（１００）では、凹状の第２リフレクタ（２ｂ）の内側表面に内側反射面（２ｂ１）が形成されている。更に、第２リフレクタ（２ｂ）の内側反射面（２ｂ１）が、回転放物面によって構成されている。また、第１ＬＥＤ光源（１ａ）の光軸（１ａ’）に略平行なリフレクタ群（２）の中心軸線（２’）を中心に第１リフレクタ（２ａ）および第２リフレクタ（２ｂ）が第１ＬＥＤ光源（１ａ）に対して相対的に回転するように、第１ＬＥＤ光源（１ａ）とリフレクタ群（２）とが構成されている。
【００１７】
更に、請求項１に記載のＬＥＤ照明装置（１００）では、回転放物面によって構成された第１リフレクタ（２ａ）の内側反射面（２ａ１）の焦点（２ａ１ａ）を通る回転中心軸（２ａ１’）が、第１ＬＥＤ光源（１ａ）の光軸（１ａ’）に垂直に配置されている。また、回転放物面によって構成された第２リフレクタ（２ｂ）の内側反射面（２ｂ１）の焦点（２ｂ１ａ）を通る回転中心軸（２ｂ１’）が、第１ＬＥＤ光源（１ａ）の光軸（１ａ’）に垂直に配置されている。
【００１８】
また、請求項１に記載のＬＥＤ照明装置（１００）では、第１リフレクタ（２ａ）の内側反射面（２ａ１）の回転中心軸（２ａ１’）と第２リフレクタ（２ｂ）の内側反射面（２ｂ１）の回転中心軸（２ｂ１’）とを含む第１平面（ＰＬ１）の一方の側に第１リフレクタ（２ａ）および第２リフレクタ（２ｂ）が存在せず、第１平面（ＰＬ１）の他方の側に第１リフレクタ（２ａ）および第２リフレクタ（２ｂ）が存在するように、第１リフレクタ（２ａ）および第２リフレクタ（２ｂ）が形成されている。更に、第１ＬＥＤ光源（１ａ）の発光面が第１リフレクタ（２ａ）の内側反射面（２ａ１）および第２リフレクタ（２ｂ）の内側反射面（２ｂ１）に対向するように、第１ＬＥＤ光源（１ａ）が配置されている。
【００１９】
詳細には、請求項１に記載のＬＥＤ照明装置（１００）では、中心軸線（２’）を中心に回転可能な回転軸部（２ｇ）が設けられている。また、回転軸部（２ｇ）が中心軸線（２’）上に配置されている。
【００２０】
更に、請求項１に記載のＬＥＤ照明装置（１００）では、凹状の第１リフレクタ（２ａ）の外側表面に外側反射面（２ａ２）が形成されている。また、第１リフレクタ（２ａ）の内側反射面（２ａ１）をオフセットさせた回転放物面を基本とする曲面によって、第１リフレクタ（２ａ）の外側反射面（２ａ２）が構成されている。更に、凹状の第２リフレクタ（２ｂ）の外側表面に外側反射面（２ｂ２）が形成されている。また、第２リフレクタ（２ｂ）の内側反射面（２ｂ１）をオフセットさせた回転放物面を基本とする曲面によって、第２リフレクタ（２ｂ）の外側反射面（２ｂ２）が構成されている。
【００２１】
また、請求項１に記載のＬＥＤ照明装置（１００）では、第１リフレクタ（２ａ）と第２リフレクタ（２ｂ）とが、同一形状に形成されている。更に、第１リフレクタ（２ａ）と第２リフレクタ（２ｂ）とが中心軸線（２’）を中心とする９０°以下の回転対称の関係を有するように、かつ、第１リフレクタ（２ａ）の外側反射面（２ａ２）と第２リフレクタ（２ｂ）の内側反射面（２ｂ１）とが対向するように、第１リフレクタ（２ａ）および第２リフレクタ（２ｂ）が回転軸部（２ｇ）に接続されている。また、第１ＬＥＤ光源（１ａ）の光軸（１ａ’）が、中心軸線（２’）から離間せしめられて配置されている。
【００２２】
更に、請求項１に記載のＬＥＤ照明装置（１００）では、中心軸線（２’）を中心とする円（ＣＲ）上であって、第１リフレクタ（２ａ）の内側反射面（２ａ１）の焦点（２ａ１ａ）と第２リフレクタ（２ｂ）の内側反射面（２ｂ１）の焦点（２ｂ１ａ）とを通る円（ＣＲ）上に第１ＬＥＤ光源（１ａ）の発光面が配置されている。
【００２３】
その結果、請求項１に記載のＬＥＤ照明装置（１００）では、第１ＬＥＤ光源（１ａ）の光軸（１ａ’）と中心軸線（２’）とを含む第２平面（ＰＬ２）上に位置し、かつ、第１ＬＥＤ光源（１ａ）の光軸（１ａ’）を隔てて中心軸線（２’）の反対側に位置する観察位置（ＶＰ）であって、第１リフレクタ（２ａ）の外側反射面（２ａ２）および第２リフレクタ（２ｂ）の外側反射面（２ｂ２）に対向する観察位置（ＶＰ）から第１リフレクタ（２ａ）の外側反射面（２ａ２）を見ると、第２リフレクタ（２ｂ）の内側反射面（２ｂ１）が第１リフレクタ（２ａ）の外側反射面（２ａ２）の側に移動するように、第１リフレクタ（２ａ）および第２リフレクタ（２ｂ）が中心軸線（２’）を中心に第１ＬＥＤ光源（１ａ）に対して相対的に回転する場合に、まず最初に、第２リフレクタ（２ｂ）の内側反射面（２ｂ１）の焦点（２ｂ１ａ）を隔てて第２リフレクタ（２ｂ）の内側反射面（２ｂ１）の反対側に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）の第１部分（２ａ２ａ）が光って見える。
【００２４】
次いで、第２リフレクタ（２ｂ）の内側反射面（２ｂ１）の焦点（２ｂ１ａ）上に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第１部分（２ａ２ａ）よりも中心軸線（２’）に近い第２部分（２ａ２ｂ）が光って見える。
【００２５】
次いで、第２リフレクタ（２ｂ）の内側反射面（２ｂ１）の焦点（２ｂ１ａ）と第２リフレクタ（２ｂ）の内側反射面（２ｂ１）との間に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第２部分（２ａ２ｂ）よりも中心軸線（２’）に近い第３部分（２ａ２ｃ）が光って見える。
【００２６】
つまり、請求項１に記載のＬＥＤ照明装置（１００）では、第２リフレクタ（２ｂ）の内側反射面（２ｂ１）が第１リフレクタ（２ａ）の外側反射面（２ａ２）の側に移動するように、第１リフレクタ（２ａ）および第２リフレクタ（２ｂ）が中心軸線（２’）を中心に第１ＬＥＤ光源（１ａ）に対して相対的に回転している時に、観察位置（ＶＰ）から第１リフレクタ（２ａ）の外側反射面（２ａ２）を見ると、まず最初に、第１リフレクタ（２ａ）の外側反射面（２ａ２）の第１部分（２ａ２ａ）が光って見える見え方になり、次いで、第１リフレクタ（２ａ）の外側反射面（２ａ２）のうち、第１部分（２ａ２ａ）よりも中心軸線（２’）に近い第２部分（２ａ２ｂ）が光って見える見え方になり、次いで、第１リフレクタ（２ａ）の外側反射面（２ａ２）のうち、第２部分（２ａ２ｂ）よりも中心軸線（２’）に近い第３部分（２ａ２ｃ）が光って見える見え方になる。
【００２７】
すなわち、請求項１に記載のＬＥＤ照明装置（１００）では、第２リフレクタ（２ｂ）の内側反射面（２ｂ１）が第１リフレクタ（２ａ）の外側反射面（２ａ２）の側に移動するように、第１リフレクタ（２ａ）および第２リフレクタ（２ｂ）が中心軸線（２’）を中心に第１ＬＥＤ光源（１ａ）に対して相対的に回転している時に、観察位置（ＶＰ）から第１リフレクタ（２ａ）の外側反射面（２ａ２）を見ると、第１リフレクタ（２ａ）の外側反射面（２ａ２）の見え方が３通りに変化する。
【００２８】
換言すれば、請求項１に記載のＬＥＤ照明装置（１００）によれば、リフレクタの反射面の見え方が２通りにしか変化しない特許文献１に記載されたＬＥＤ照明装置よりも、リフレクタの反射面の見え方のバリエーションを増加させることができる。
【００２９】
請求項２に記載のＬＥＤ照明装置（１００）では、第１リフレクタ（２ａ）および第２リフレクタ（２ｂ）を含め合計でＮ個（Ｎは４以上の整数）のリフレクタ（２ａ，２ｂ，２ｃ，２ｄ，…）が設けられている。また、Ｎ個のリフレクタ（２ａ，２ｂ，２ｃ，２ｄ，…）が同一形状に形成されている。更に、Ｎ個のリフレクタ（２ａ，２ｂ，２ｃ，２ｄ，…）が中心軸線（２’）を中心とする（３６０／Ｎ）°回転対称の関係を有するように、かつ、第２リフレクタ（２ｂ）の外側反射面（２ｂ２）と第３リフレクタ（２ｃ）の内側反射面（２ｃ１）とが対向するように、かつ、第３リフレクタ（２ｃ）の外側反射面（２ｃ２）と第４リフレクタ（２ｄ）の内側反射面（２ｄ１）とが対向するように、Ｎ個のリフレクタ（２ａ，２ｂ，２ｃ，２ｄ，…）が回転軸部（２ｇ）に接続されている。
【００３０】
その結果、請求項２に記載のＬＥＤ照明装置（１００）では、観察位置（ＶＰ）から第１リフレクタ（２ａ）の外側反射面（２ａ２）、第２リフレクタ（２ｂ）の外側反射面（２ｂ２）、および、第３リフレクタ（２ｃ）の外側反射面（２ｃ２）を見ると、第２リフレクタ（２ｂ）の内側反射面（２ｂ１）が第１リフレクタ（２ａ）の外側反射面（２ａ２）の側に移動するように、Ｎ個のリフレクタ（２ａ，２ｂ，２ｃ，２ｄ，…）が中心軸線（２’）を中心に第１ＬＥＤ光源（１ａ）に対して相対的に回転する場合に、まず最初に、第２リフレクタ（２ｂ）の内側反射面（２ｂ１）の焦点（２ｂ１ａ）を隔てて第２リフレクタ（２ｂ）の内側反射面（２ｂ１）の反対側に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）の第１部分（２ａ２ａ）が光って見える。
【００３１】
次いで、第２リフレクタ（２ｂ）の内側反射面（２ｂ１）の焦点（２ｂ１ａ）上に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第１部分（２ａ２ａ）よりも中心軸線（２’）に近い第２部分（２ａ２ｂ）が光って見える。
【００３２】
次いで、第２リフレクタ（２ｂ）の内側反射面（２ｂ１）の焦点（２ｂ１ａ）と第２リフレクタ（２ｂ）の内側反射面（２ｂ１）との間に位置する第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）のうち、第２部分（２ａ２ｂ）よりも中心軸線（２’）に近い第３部分（２ａ２ｃ）が光って見える。
【００３３】
次いで、第３リフレクタ（２ｃ）の内側反射面（２ｃ１）の焦点（２ｃ１ａ）を隔てて第３リフレクタ（２ｃ）の内側反射面（２ｃ１）の反対側に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）の第１部分（２ｂ２ａ’）が光って見える。
【００３４】
次いで、第３リフレクタ（２ｃ）の内側反射面（２ｃ１）の焦点（２ｃ１ａ）上に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）のうち、第１部分（２ｂ２ａ’）よりも中心軸線（２’）に近い第２部分（２ｂ２ｂ’）が光って見える。
【００３５】
次いで、第３リフレクタ（２ｃ）の内側反射面（２ｃ１）の焦点（２ｃ１ａ）と第３リフレクタ（２ｃ）の内側反射面（２ｃ１）との間に位置する第１ＬＥＤ光源（１ａ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）のうち、第２部分（２ｂ２ｂ’）よりも中心軸線（２’）に近い第３部分（２ｂ２ｃ’）が光って見える。
【００３６】
次いで、第４リフレクタ（２ｄ）の内側反射面（２ｄ１）の焦点（２ｄ１ａ）を隔てて第４リフレクタ（２ｄ）の内側反射面（２ｄ１）の反対側に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）の第１部分（２ｃ２ａ）が光って見える。
【００３７】
次いで、第４リフレクタ（２ｄ）の内側反射面（２ｄ１）の焦点（２ｄ１ａ）上に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）のうち、第１部分（２ｃ２ａ）よりも中心軸線（２’）に近い第２部分（２ｃ２ｂ）が光って見える。
【００３８】
次いで、第４リフレクタ（２ｄ）の内側反射面（２ｄ１）の焦点（２ｄ１ａ）と第４リフレクタ（２ｄ）の内側反射面（２ｄ１）との間に位置する第１ＬＥＤ光源（１ａ）の発光面から照射され、第４リフレクタ（２ｄ）の内側反射面（２ｄ１）によって反射され、第３リフレクタ（２ｃ）の外側反射面（２ｃ２）によって反射され、観察位置（ＶＰ）に到達する光により、第３リフレクタ（２ｃ）の外側反射面（２ｃ２）のうち、第２部分（２ｃ２ｂ）よりも中心軸線（２’）に近い第３部分（２ｃ２ｃ）が光って見える。
【００３９】
つまり、請求項２に記載のＬＥＤ照明装置（１００）では、第２リフレクタ（２ｂ）の内側反射面（２ｂ１）が第１リフレクタ（２ａ）の外側反射面（２ａ２）の側に移動するように、第１リフレクタ（２ａ）、第２リフレクタ（２ｂ）、第３リフレクタ（２ｃ）および第４リフレクタ（２ｄ）が中心軸線（２’）を中心に第１ＬＥＤ光源（１ａ）に対して相対的に１回転する間に、観察位置（ＶＰ）から第１リフレクタ（２ａ）の外側反射面（２ａ２）、第２リフレクタ（２ｂ）の外側反射面（２ｂ２）、および、第３リフレクタ（２ｃ）の外側反射面（２ｃ２）を見ると、まず最初に、第１リフレクタ（２ａ）の外側反射面（２ａ２）が光って見え、次いで、第１リフレクタ（２ａ）と同一形状の第２リフレクタ（２ｂ）の外側反射面（２ｂ２）が光って見え、次いで、第１リフレクタ（２ａ）と同一形状の第３リフレクタ（２ｃ）の外側反射面（２ｃ２）が光って見える。
【００４０】
そのため、請求項２に記載のＬＥＤ照明装置（１００）によれば、第１リフレクタ（２ａ）および第２リフレクタ（２ｂ）のみが回転軸部（２ｇ）に接続されている場合よりも、観察位置（ＶＰ）から見た時に、リフレクタ群（２）が１回転する間に、第１ＬＥＤ光源（１ａ）からの光によってリフレクタ群（２）が光って見える時間の割合を増加させることができる。
【００４１】
請求項３に記載のＬＥＤ照明装置（１００）では、第１ＬＥＤ光源（１ａ）を含め合計でＮ個のＬＥＤ光源（１ａ，１ｂ，１ｃ，１ｄ，…）が設けられている。また、第１ＬＥＤ光源（１ａ）の光軸（１ａ’）と他のＬＥＤ光源（１ｂ，１ｃ，１ｄ，…）の光軸（１ｂ’，１ｃ’，１ｄ’，…）とが互いに略平行になるように、Ｎ個のＬＥＤ光源（１ａ，１ｂ，１ｃ，１ｄ，…）の発光面が円（ＣＲ）上に等間隔に配列されている。
【００４２】
詳細には、請求項３に記載のＬＥＤ照明装置（１００）では、第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）が光って見える時に、第２ＬＥＤ光源（１ｂ）の発光面から照射され、第３リフレクタ（２ｃ）の内側反射面（２ｃ１）によって反射され、第２リフレクタ（２ｂ）の外側反射面（２ｂ２）によって反射され、観察位置（ＶＰ）に到達する光により、第２リフレクタ（２ｂ）の外側反射面（２ｂ２）が光って見えるように、Ｎ個のリフレクタ（２ａ，２ｂ，２ｃ，２ｄ，…）の外側反射面（２ａ２，２ｂ２，２ｃ２，２ｄ２，…）が形成されている。
【００４３】
そのため、請求項３に記載のＬＥＤ照明装置（１００）によれば、第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）が光って見える時に、他のリフレクタ（２ｂ，…）の外側反射面（２ｂ２，…）からの反射光が観察位置（ＶＰ）に到達しない場合よりも、リフレクタ群（２）の光って見える領域を増加させることができる。
【００４４】
請求項４に記載のＬＥＤ照明装置（１００）では、第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射され、観察位置（ＶＰ）に到達する光により、第１リフレクタ（２ａ）の外側反射面（２ａ２）が光って見える時に、第１ＬＥＤ光源（１ａ）の発光面から照射され、第２リフレクタ（２ｂ）の内側反射面（２ｂ１）によって反射された光の一部、および／または、第１ＬＥＤ光源（１ａ）の発光面から照射され、第２リフレクタ（２ｂ）の内側反射面（２ｂ１）によって反射され、第１リフレクタ（２ａ）の外側反射面（２ａ２）によって反射された光の一部を反射して観察位置（ＶＰ）に到達させるための固定リフレクタ（３ａ１）が設けられている。
【００４５】
そのため、請求項４に記載のＬＥＤ照明装置（１００）によれば、固定リフレクタ（３ａ１）が設けられていない場合よりも、観察位置（ＶＰ）に到達する光を増加させることができる。
【００４６】
更に、請求項４に記載のＬＥＤ照明装置（１００）では、固定リフレクタ（３ａ１）が、Ｎ個のＬＥＤ光源（１ａ，１ｂ，１ｃ，１ｄ，…）に対して相対的に固定されている。また、固定リフレクタ（３ａ１）が、リフレクタ群（２）から離間せしめられて配置されている。
【００４７】
そのため、請求項４に記載のＬＥＤ照明装置（１００）によれば、あたかも固定リフレクタ（３ａ１）が光って見えるようにするためのＬＥＤ光源がＮ個のＬＥＤ光源（１ａ，１ｂ，１ｃ，１ｄ，…）とは別個に設けられているかのように、観察位置（ＶＰ）の観察者に感じさせることができる。
【００４８】
請求項５に記載のＬＥＤ照明装置（１００）では、Ｎ個のＬＥＤ光源（１ａ，１ｂ，１ｃ，１ｄ，…）からの直射光の一部が固定リフレクタ（３ａ１）に到達するための隙間（４ａ，４ｂ，４ｃ，４ｄ，…）がＮ個のリフレクタ（２ａ，２ｂ，２ｃ，２ｄ，…）の相互間に設けられている。
【００４９】
詳細には、請求項５に記載のＬＥＤ照明装置（１００）では、Ｎ個のＬＥＤ光源（１ａ，１ｂ，１ｃ，１ｄ，…）から照射され、隙間（４ａ，４ｂ，４ｃ，４ｄ，…）を透過し、固定リフレクタ（３ａ１）によって反射された光の一部が観察位置（ＶＰ）に到達する。
【００５０】
そのため、請求項５に記載のＬＥＤ照明装置（１００）によれば、Ｎ個のＬＥＤ光源（１ａ，１ｂ，１ｃ，１ｄ，…）から照射され、隙間（４ａ，４ｂ，４ｃ，４ｄ，…）を透過した光が観察位置（ＶＰ）に到達しない場合よりも、観察位置（ＶＰ）に到達する光を増加させることができる。
【図面の簡単な説明】
【００５１】
【図１】第１の実施形態のＬＥＤ照明装置１００を示した図である。
【図２】第１の実施形態のＬＥＤ照明装置１００を示した図である。
【図３】第１の実施形態のＬＥＤ照明装置１００の一部を構成するリフレクタ群２の部品図である。
【図４】図１（Ｂ）の一部を拡大して示した図である。
【図５】図１（Ａ）に示す状態の第１の実施形態のＬＥＤ照明装置１００の一部の鉛直断面図である。
【図６】ＬＥＤ光源１ａ，１ｂ，１ｃ，１ｄ，１ｅ，１ｆの発光面の発光中心から照射され、図５に示す鉛直断面内を進む光Ｌ１ａ１，Ｌ１ｂ１，Ｌ１ｃ１，Ｌ１ｄ１，Ｌ１ｅ１，Ｌ１ｆ１を示した図である。
【図７】図１（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１，Ｌ１ｂ１，Ｌ１ｃ１，Ｌ１ｄ１，Ｌ１ｅ１，Ｌ１ｆ１を示した図である。
【図８】ＬＥＤ光源１ａがリフレクタ２ｂの内側反射面２ｂ１の焦点２ｂ１ａを隔ててリフレクタ２ｂの内側反射面２ｂ１の反対側に位置する状態の第１の実施形態のＬＥＤ照明装置１００などを示した図である。
【図９】図８（Ａ）に示す状態のリフレクタ２ｂの回転放物面により構成される内側反射面２ｂ１の焦点２ｂ１ａとＬＥＤ光源１ａの光軸１ａ’との関係などを示した図である。
【図１０】図８（Ａ）に示す状態の第１の実施形態のＬＥＤ照明装置１００の概略的な鉛直断面図である。
【図１１】ＬＥＤ光源１ａ，１ｂ，１ｃ，１ｄ，１ｅ，１ｆの発光面の発光中心から照射され、図１０に示す鉛直断面内を進む光Ｌ１ａ１’，Ｌ１ｂ１’，Ｌ１ｃ１’，Ｌ１ｄ１’，Ｌ１ｅ１’，Ｌ１ｆ１’を示した図である。
【図１２】図８（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１’，Ｌ１ｂ１’，Ｌ１ｃ１’，Ｌ１ｄ１’，Ｌ１ｅ１’，Ｌ１ｆ１’を示した図である。
【図１３】ＬＥＤ光源１ａがリフレクタ２ｂの内側反射面２ｂ１の焦点２ｂ１ａとリフレクタ２ｂの内側反射面２ｂ１との間に位置する状態の第１の実施形態のＬＥＤ照明装置１００などを示した図である。
【図１４】図１３（Ａ）に示す状態のリフレクタ２ｂの回転放物面により構成される内側反射面２ｂ１の焦点２ｂ１ａとＬＥＤ光源１ａの光軸１ａ’との関係などを示した図である。
【図１５】図１３（Ａ）に示す状態の第１の実施形態のＬＥＤ照明装置１００の概略的な鉛直断面図である。
【図１６】ＬＥＤ光源１ａ，１ｂ，１ｃ，１ｄ，１ｅ，１ｆの発光面の発光中心から照射され、図１５に示す鉛直断面内を進む光Ｌ１ａ１”，Ｌ１ｂ１”，Ｌ１ｃ１”，Ｌ１ｄ１”，Ｌ１ｅ１”，Ｌ１ｆ１”を示した図である。
【図１７】図１３（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１”，Ｌ１ｂ１”，Ｌ１ｃ１”，Ｌ１ｄ１”，Ｌ１ｅ１”，Ｌ１ｆ１”を示した図である。
【図１８】第１の実施形態のＬＥＤ照明装置１００の観察位置ＶＰを説明するための図である。
【図１９】第１の実施形態のＬＥＤ照明装置１００の観察位置ＶＰを説明するための図である。
【図２０】第１の実施形態のＬＥＤ照明装置１００の図８（Ａ）に示す状態の時に観察位置ＶＰに到達する光Ｌ１ａ２’などを説明するための図である。
【図２１】第１の実施形態のＬＥＤ照明装置１００の図８（Ａ）に示す状態の時に観察位置ＶＰに到達する光Ｌ１ｂ２’，Ｌ１ｆ２’などを説明するための図である。
【図２２】第１の実施形態のＬＥＤ照明装置１００の図１（Ａ）に示す状態の時に観察位置ＶＰに到達する光Ｌ１ａ２などを説明するための図である。
【図２３】第１の実施形態のＬＥＤ照明装置１００の図１（Ａ）に示す状態の時に観察位置ＶＰに到達する光Ｌ１ｂ２，Ｌ１ｆ２などを説明するための図である。
【図２４】第１の実施形態のＬＥＤ照明装置１００の図１３（Ａ）に示す状態の時に観察位置ＶＰに到達する光Ｌ１ａ２”などを説明するための図である。
【図２５】第１の実施形態のＬＥＤ照明装置１００の図１３（Ａ）に示す状態の時に観察位置ＶＰに到達する光Ｌ１ｂ２”，Ｌ１ｆ２”などを説明するための図である。
【図２６】第１の実施形態のＬＥＤ照明装置１００の図２６（Ａ）に示す状態の時に観察位置ＶＰに到達する光Ｌ１ａ３’などを説明するための図である。
【図２７】第１の実施形態のＬＥＤ照明装置１００の図２７（Ａ）に示す状態の時に観察位置ＶＰに到達する光Ｌ１ａ３などを説明するための図である。
【図２８】第１の実施形態のＬＥＤ照明装置１００の図２８（Ａ）に示す状態の時に観察位置ＶＰに到達する光Ｌ１ａ３”などを説明するための図である。
【図２９】第１の実施形態のＬＥＤ照明装置１００の図２９（Ａ）に示す状態の時に観察位置ＶＰに到達する光Ｌ１ａ４’などを説明するための図である。
【図３０】第１の実施形態のＬＥＤ照明装置１００の図３０（Ａ）に示す状態の時に観察位置ＶＰに到達する光Ｌ１ａ４などを説明するための図である。
【図３１】第１の実施形態のＬＥＤ照明装置１００の図３１（Ａ）に示す状態の時に観察位置ＶＰに到達する光Ｌ１ａ４”などを説明するための図である。
【図３２】第１の実施形態のＬＥＤ照明装置１００の図３２に示す状態の時に観察位置ＶＰに到達する光Ｌ１ａ５，Ｌ１ｃ５を説明するための図である。
【図３３】第１の実施形態のＬＥＤ照明装置１００の図３３に示す状態の時に観察位置ＶＰに到達する光Ｌ１ａ６”，Ｌ１ｃ６”を説明するための図である。
【図３４】第１の実施形態のＬＥＤ照明装置１００の図３４に示す状態の時に観察位置ＶＰに到達する光Ｌ１ａ７’，Ｌ１ｃ７’を説明するための図である。
【図３５】第１の実施形態のＬＥＤ照明装置１００のＬＥＤ光源１ａから照射され、リフレクタ３ａ１によって反射され、観察位置ＶＰに到達する光Ｌ１ａ８などを、図１８に示すリフレクタ群２を取り外した状態の第１の実施形態のＬＥＤ照明装置１００の平面図に投影した図である。
【発明を実施するための形態】
【００５２】
以下、本発明のＬＥＤ照明装置の第１の実施形態について説明する。図１および図２は第１の実施形態のＬＥＤ照明装置１００を示した図である。詳細には、図１（Ａ）は第１の実施形態のＬＥＤ照明装置１００の平面図、図１（Ｂ）はリフレクタ群２（図１（Ａ）参照）を取り外した状態の第１の実施形態のＬＥＤ照明装置１００の平面図である。図２（Ａ）はリフレクタ群２（図１（Ａ）参照）を取り外した状態の第１の実施形態のＬＥＤ照明装置１００のＬＥＤ光源１ｃ（図１（Ｂ）参照）の光軸１ｃ’（図１（Ｂ）参照）とＬＥＤ光源１ｆ（図１（Ｂ）参照）の光軸１ｆ’（図１（Ｂ）参照）とを含む鉛直面に沿った鉛直断面図である。図２（Ｂ）はリフレクタ群２（図１（Ａ）参照）を取り外した状態の第１の実施形態のＬＥＤ照明装置１００のＬＥＤ光源１ｂ（図１（Ｂ）参照）の光軸１ｂ’（図１（Ｂ）参照）とＬＥＤ光源１ｅ（図１（Ｂ）参照）の光軸１ｅ’（図１（Ｂ）参照）とを含む鉛直面に沿った鉛直断面図である。
【００５３】
図３は第１の実施形態のＬＥＤ照明装置１００の一部を構成するリフレクタ群２の部品図である。詳細には、図３（Ａ）はリフレクタ群２の平面図、図３（Ｂ）はリフレクタ群２の底面図である。図４は図１（Ｂ）の一部を拡大して示した図である。詳細には、図４は図１（Ａ）に示す状態のリフレクタ２ｂ（図１（Ａ）参照）の回転放物面により構成される内側反射面２ｂ１（図３（Ｂ）参照）の焦点２ｂ１ａとＬＥＤ光源１ａの光軸１ａ’との関係などを示した図である。
【００５４】
図５は図１（Ａ）に示す状態の第１の実施形態のＬＥＤ照明装置１００の鉛直断面図である。詳細には、図５（Ａ）はリフレクタ２ａの回転放物面により構成される内側反射面２ａ１の回転中心軸２ａ１’を含む鉛直面に沿った図１（Ａ）に示す状態の第１の実施形態のＬＥＤ照明装置１００の一部の断面図である。図５（Ｂ）はリフレクタ２ｂの回転放物面により構成される内側反射面２ｂ１の回転中心軸２ｂ１’を含む鉛直面に沿った図１（Ａ）に示す状態の第１の実施形態のＬＥＤ照明装置１００の一部の断面図である。図５（Ｃ）はリフレクタ２ｃの回転放物面により構成される内側反射面２ｃ１の回転中心軸２ｃ１’を含む鉛直面に沿った図１（Ａ）に示す状態の第１の実施形態のＬＥＤ照明装置１００の一部の断面図である。図５（Ｄ）はリフレクタ２ｄの回転放物面により構成される内側反射面２ｄ１の回転中心軸２ｄ１’を含む鉛直面に沿った図１（Ａ）に示す状態の第１の実施形態のＬＥＤ照明装置１００の一部の断面図である。図５（Ｅ）はリフレクタ２ｅの回転放物面により構成される内側反射面２ｅ１の回転中心軸２ｅ１’を含む鉛直面に沿った図１（Ａ）に示す状態の第１の実施形態のＬＥＤ照明装置１００の一部の断面図である。図５（Ｆ）はリフレクタ２ｆの回転放物面により構成される内側反射面２ｆ１の回転中心軸２ｆ１’を含む鉛直面に沿った図１（Ａ）に示す状態の第１の実施形態のＬＥＤ照明装置１００の一部の断面図である。
【００５５】
図６はＬＥＤ光源１ａ，１ｂ，１ｃ，１ｄ，１ｅ，１ｆの発光面の発光中心から照射され、図５に示す鉛直断面内を進む光Ｌ１ａ１，Ｌ１ｂ１，Ｌ１ｃ１，Ｌ１ｄ１，Ｌ１ｅ１，Ｌ１ｆ１を示した図である。詳細には、図６（Ａ）はＬＥＤ光源１ｆの発光面の発光中心から照射され、図５（Ａ）に示す鉛直断面内を進む光Ｌ１ｆ１を示した図である。図６（Ｂ）はＬＥＤ光源１ａの発光面の発光中心から照射され、図５（Ｂ）に示す鉛直断面内を進む光Ｌ１ａ１を示した図である。図６（Ｃ）はＬＥＤ光源１ｂの発光面の発光中心から照射され、図５（Ｃ）に示す鉛直断面内を進む光Ｌ１ｂ１を示した図である。図６（Ｄ）はＬＥＤ光源１ｃの発光面の発光中心から照射され、図５（Ｄ）に示す鉛直断面内を進む光Ｌ１ｃ１を示した図である。図６（Ｅ）はＬＥＤ光源１ｄの発光面の発光中心から照射され、図５（Ｅ）に示す鉛直断面内を進む光Ｌ１ｄ１を示した図である。図６（Ｆ）はＬＥＤ光源１ｅの発光面の発光中心から照射され、図５（Ｆ）に示す鉛直断面内を進む光Ｌ１ｅ１を示した図である。
【００５６】
図７は図１（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１，Ｌ１ｂ１，Ｌ１ｃ１，Ｌ１ｄ１，Ｌ１ｅ１，Ｌ１ｆ１を示した図である。詳細には、図７（Ａ）は図１（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１，Ｌ１ｂ１，Ｌ１ｃ１，Ｌ１ｄ１，Ｌ１ｅ１，Ｌ１ｆ１を示したリフレクタ群２の平面図である。図７（Ｂ）は図１（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１，Ｌ１ｂ１，Ｌ１ｃ１，Ｌ１ｄ１，Ｌ１ｅ１，Ｌ１ｆ１を示したリフレクタ群２の底面図である。
【００５７】
図８〜図１２はＬＥＤ光源１ａがリフレクタ２ｂの内側反射面２ｂ１の焦点２ｂ１ａを隔ててリフレクタ２ｂの内側反射面２ｂ１の反対側に位置する状態の第１の実施形態のＬＥＤ照明装置１００を説明するための図である。詳細には、図８（Ａ）はＬＥＤ光源１ａがリフレクタ２ｂの内側反射面２ｂ１の焦点２ｂ１ａを隔ててリフレクタ２ｂの内側反射面２ｂ１の反対側に位置する状態の第１の実施形態のＬＥＤ照明装置１００の平面図である。図８（Ｂ）はリフレクタ群２（図８（Ａ）参照）を取り外した状態の第１の実施形態のＬＥＤ照明装置１００の平面図である。図９は図８（Ａ）に示す状態のリフレクタ２ｂ（図８（Ａ）参照）の回転放物面により構成される内側反射面２ｂ１（図３（Ｂ）参照）の焦点２ｂ１ａとＬＥＤ光源１ａの光軸１ａ’との関係などを示した図である。
【００５８】
図１０は図８（Ａ）に示す状態の第１の実施形態のＬＥＤ照明装置１００の概略的な鉛直断面図である。詳細には、図１０（Ａ）はリフレクタ２ａの回転放物面により構成される内側反射面２ａ１の回転中心軸２ａ１’を含む鉛直面に沿った図８（Ａ）に示す状態の第１の実施形態のＬＥＤ照明装置１００の一部の概略的な断面図である。図１０（Ｂ）はリフレクタ２ｂの回転放物面により構成される内側反射面２ｂ１の回転中心軸２ｂ１’を含む鉛直面に沿った図８（Ａ）に示す状態の第１の実施形態のＬＥＤ照明装置１００の一部の概略的な断面図である。図１０（Ｃ）はリフレクタ２ｃの回転放物面により構成される内側反射面２ｃ１の回転中心軸２ｃ１’を含む鉛直面に沿った図８（Ａ）に示す状態の第１の実施形態のＬＥＤ照明装置１００の一部の概略的な断面図である。図１０（Ｄ）はリフレクタ２ｄの回転放物面により構成される内側反射面２ｄ１の回転中心軸２ｄ１’を含む鉛直面に沿った図８（Ａ）に示す状態の第１の実施形態のＬＥＤ照明装置１００の一部の概略的な断面図である。図１０（Ｅ）はリフレクタ２ｅの回転放物面により構成される内側反射面２ｅ１の回転中心軸２ｅ１’を含む鉛直面に沿った図８（Ａ）に示す状態の第１の実施形態のＬＥＤ照明装置１００の一部の概略的な断面図である。図１０（Ｆ）はリフレクタ２ｆの回転放物面により構成される内側反射面２ｆ１の回転中心軸２ｆ１’を含む鉛直面に沿った図８（Ａ）に示す状態の第１の実施形態のＬＥＤ照明装置１００の一部の概略的な断面図である。
【００５９】
図１１はＬＥＤ光源１ａ，１ｂ，１ｃ，１ｄ，１ｅ，１ｆの発光面の発光中心から照射され、図１０に示す鉛直断面内を進む光Ｌ１ａ１’，Ｌ１ｂ１’，Ｌ１ｃ１’，Ｌ１ｄ１’，Ｌ１ｅ１’，Ｌ１ｆ１’を示した図である。詳細には、図１１（Ａ）はＬＥＤ光源１ｆの発光面の発光中心から照射され、リフレクタ２ａの内側反射面２ａ１（図１０（Ａ）参照）によって反射された光Ｌ１ｆ１’を、図１０（Ａ）に示す鉛直断面に投影した図である。図１１（Ｂ）はＬＥＤ光源１ａの発光面の発光中心から照射され、リフレクタ２ｂの内側反射面２ｂ１（図１０（Ｂ）参照）によって反射された光Ｌ１ａ１’を、図１０（Ｂ）に示す鉛直断面に投影した図である。図１１（Ｃ）はＬＥＤ光源１ｂの発光面の発光中心から照射され、リフレクタ２ｃの内側反射面２ｃ１（図１０（Ｃ）参照）によって反射された光Ｌ１ｂ１’を、図１０（Ｃ）に示す鉛直断面に投影した図である。図１１（Ｄ）はＬＥＤ光源１ｃの発光面の発光中心から照射され、リフレクタ２ｄの内側反射面２ｄ１（図１０（Ｄ）参照）によって反射された光Ｌ１ｃ１’を、図１０（Ｄ）に示す鉛直断面に投影した図である。図１１（Ｅ）はＬＥＤ光源１ｄの発光面の発光中心から照射され、リフレクタ２ｅの内側反射面２ｅ１（図１０（Ｅ）参照）によって反射された光Ｌ１ｄ１’を、図１０（Ｅ）に示す鉛直断面に投影した図である。図１１（Ｆ）はＬＥＤ光源１ｅの発光面の発光中心から照射され、リフレクタ２ｆの内側反射面２ｆ１（図１０（Ｆ）参照）によって反射された光Ｌ１ｅ１’を、図１０（Ｆ）に示す鉛直断面に投影した図である。
【００６０】
図１２は図８（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１’，Ｌ１ｂ１’，Ｌ１ｃ１’，Ｌ１ｄ１’，Ｌ１ｅ１’，Ｌ１ｆ１’を示した図である。詳細には、図１２（Ａ）は図８（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１’，Ｌ１ｂ１’，Ｌ１ｃ１’，Ｌ１ｄ１’，Ｌ１ｅ１’，Ｌ１ｆ１’を示したリフレクタ群２の平面図である。図１２（Ｂ）は図８（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１’，Ｌ１ｂ１’，Ｌ１ｃ１’，Ｌ１ｄ１’，Ｌ１ｅ１’，Ｌ１ｆ１’を示したリフレクタ群２の底面図である。
【００６１】
図１３〜図１７はＬＥＤ光源１ａがリフレクタ２ｂの内側反射面２ｂ１の焦点２ｂ１ａとリフレクタ２ｂの内側反射面２ｂ１との間に位置する状態の第１の実施形態のＬＥＤ照明装置１００を説明するための図である。詳細には、図１３（Ａ）はＬＥＤ光源１ａがリフレクタ２ｂの内側反射面２ｂ１の焦点２ｂ１ａとリフレクタ２ｂの内側反射面２ｂ１との間に位置する状態の第１の実施形態のＬＥＤ照明装置１００の平面図である。図１３（Ｂ）はリフレクタ群２（図１３（Ａ）参照）を取り外した状態の第１の実施形態のＬＥＤ照明装置１００の平面図である。図１４は図１３（Ａ）に示す状態のリフレクタ２ｂ（図１３（Ａ）参照）の回転放物面により構成される内側反射面２ｂ１（図３（Ｂ）参照）の焦点２ｂ１ａとＬＥＤ光源１ａの光軸１ａ’との関係などを示した図である。
【００６２】
図１５は図１３（Ａ）に示す状態の第１の実施形態のＬＥＤ照明装置１００の概略的な鉛直断面図である。詳細には、図１５（Ａ）はリフレクタ２ａの回転放物面により構成される内側反射面２ａ１の回転中心軸２ａ１’を含む鉛直面に沿った図１３（Ａ）に示す状態の第１の実施形態のＬＥＤ照明装置１００の一部の概略的な断面図である。図１５（Ｂ）はリフレクタ２ｂの回転放物面により構成される内側反射面２ｂ１の回転中心軸２ｂ１’を含む鉛直面に沿った図１３（Ａ）に示す状態の第１の実施形態のＬＥＤ照明装置１００の一部の概略的な断面図である。図１５（Ｃ）はリフレクタ２ｃの回転放物面により構成される内側反射面２ｃ１の回転中心軸２ｃ１’を含む鉛直面に沿った図１３（Ａ）に示す状態の第１の実施形態のＬＥＤ照明装置１００の一部の概略的な断面図である。図１５（Ｄ）はリフレクタ２ｄの回転放物面により構成される内側反射面２ｄ１の回転中心軸２ｄ１’を含む鉛直面に沿った図１３（Ａ）に示す状態の第１の実施形態のＬＥＤ照明装置１００の一部の概略的な断面図である。図１５（Ｅ）はリフレクタ２ｅの回転放物面により構成される内側反射面２ｅ１の回転中心軸２ｅ１’を含む鉛直面に沿った図１３（Ａ）に示す状態の第１の実施形態のＬＥＤ照明装置１００の一部の概略的な断面図である。図１５（Ｆ）はリフレクタ２ｆの回転放物面により構成される内側反射面２ｆ１の回転中心軸２ｆ１’を含む鉛直面に沿った図１３（Ａ）に示す状態の第１の実施形態のＬＥＤ照明装置１００の一部の概略的な断面図である。
【００６３】
図１６はＬＥＤ光源１ａ，１ｂ，１ｃ，１ｄ，１ｅ，１ｆの発光面の発光中心から照射され、図１５に示す鉛直断面内を進む光Ｌ１ａ１”，Ｌ１ｂ１”，Ｌ１ｃ１”，Ｌ１ｄ１”，Ｌ１ｅ１”，Ｌ１ｆ１”を示した図である。詳細には、図１６（Ａ）はＬＥＤ光源１ｆの発光面の発光中心から照射され、リフレクタ２ａの内側反射面２ａ１（図１５（Ａ）参照）によって反射された光Ｌ１ｆ１”を、図１５（Ａ）に示す鉛直断面に投影した図である。図１６（Ｂ）はＬＥＤ光源１ａの発光面の発光中心から照射され、リフレクタ２ｂの内側反射面２ｂ１（図１５（Ｂ）参照）によって反射された光Ｌ１ａ１”を、図１５（Ｂ）に示す鉛直断面に投影した図である。図１６（Ｃ）はＬＥＤ光源１ｂの発光面の発光中心から照射され、リフレクタ２ｃの内側反射面２ｃ１（図１５（Ｃ）参照）によって反射された光Ｌ１ｂ１”を、図１５（Ｃ）に示す鉛直断面に投影した図である。図１６（Ｄ）はＬＥＤ光源１ｃの発光面の発光中心から照射され、リフレクタ２ｄの内側反射面２ｄ１（図１５（Ｄ）参照）によって反射された光Ｌ１ｃ１”を、図１５（Ｄ）に示す鉛直断面に投影した図である。図１６（Ｅ）はＬＥＤ光源１ｄの発光面の発光中心から照射され、リフレクタ２ｅの内側反射面２ｅ１（図１５（Ｅ）参照）によって反射された光Ｌ１ｄ１”を、図１５（Ｅ）に示す鉛直断面に投影した図である。図１６（Ｆ）はＬＥＤ光源１ｅの発光面の発光中心から照射され、リフレクタ２ｆの内側反射面２ｆ１（図１５（Ｆ）参照）によって反射された光Ｌ１ｅ１”を、図１５（Ｆ）に示す鉛直断面に投影した図である。
【００６４】
図１７は図１３（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１”，Ｌ１ｂ１”，Ｌ１ｃ１”，Ｌ１ｄ１”，Ｌ１ｅ１”，Ｌ１ｆ１”を示した図である。詳細には、図１７（Ａ）は図１３（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１”，Ｌ１ｂ１”，Ｌ１ｃ１”，Ｌ１ｄ１”，Ｌ１ｅ１”，Ｌ１ｆ１”を示したリフレクタ群２の平面図である。図１７（Ｂ）は図１３（Ａ）に示す状態の第１の実施形態のＬＥＤ照明装置１００のＬＥＤ光源１ａ，１ｂ，１ｃ，１ｄ，１ｅ，１ｆの発光面の発光中心から照射され、リフレクタ２ａ，２ｂ，２ｃ，２ｄ，２ｅ，２ｆの内側反射面２ａ１，２ｂ１，２ｃ１，２ｄ１，２ｅ１，２ｆ１によって反射された反射光Ｌ１ａ１”，Ｌ１ｂ１”，Ｌ１ｃ１”，Ｌ１ｄ１”，Ｌ１ｅ１”，Ｌ１ｆ１”を示したリフレクタ群２の底面図である。
【００６５】
図１８および図１９は第１の実施形態のＬＥＤ照明装置１００の観察位置ＶＰを説明するための図である。詳細には、図１８は図１（Ｂ）に示すリフレクタ群２（図１（Ａ）参照）を取り外した状態の第１の実施形態のＬＥＤ照明装置１００の平面図に観察位置ＶＰを投影した図である。図１９はリフレクタ群２（図１（Ａ）参照）を取り外した状態の第１の実施形態のＬＥＤ照明装置１００のＬＥＤ光源１ａ（図１８参照）の光軸１ａ’（図１８参照）とＬＥＤ光源１ｄ（図１８参照）の光軸１ｄ’（図１８参照）と観察位置ＶＰとを含む鉛直面に沿った鉛直断面図である。
【００６６】
図２０および図２１は第１の実施形態のＬＥＤ照明装置１００の図８（Ａ）に示す状態の時に観察位置ＶＰに到達する光Ｌ１ａ２’，Ｌ１ｂ２’，Ｌ１ｆ２’などを説明するための図である。詳細には、図２０（Ａ）は図８（Ａ）に示す状態の第１の実施形態のＬＥＤ照明装置１００のＬＥＤ光源１ａの発光面の発光中心から照射され、リフレクタ２ｂの内側反射面２ｂ１（図３（Ｂ）参照）によって反射され、リフレクタ２ａの外側反射面２ａ２によって反射され、観察位置ＶＰに到達する光Ｌ１ａ２’を、図８（Ａ）に示す平面図に投影した図である。図２０（Ｂ）は図８（Ａ）に示す状態の第１の実施形態のＬＥＤ照明装置１００のリフレクタ２ａの外側反射面２ａ２のうち、観察位置ＶＰ（図２０（Ａ）参照）から見た時に、ＬＥＤ光源１ａ（図２０（Ａ）参照）からの光によって光って見える部分２ａ２ａを説明するための図である。図２１（Ａ）は図８（Ａ）に示す状態の第１の実施形態のＬＥＤ照明装置１００のＬＥＤ光源１ｂの発光面の発光中心から照射され、リフレクタ２ｃの内側反射面２ｃ１（図３（Ｂ）参照）によって反射され、リフレクタ２ｂの外側反射面２ｂ２によって反射され、観察位置ＶＰ（図２０（Ａ）参照）に到達する光Ｌ１ｂ２’、および、ＬＥＤ光源１ｆの発光面の発光中心から照射され、リフレクタ２ａの内側反射面２ａ１（図３（Ｂ）参照）によって反射され、リフレクタ２ｆの外側反射面２ｆ２によって反射され、観察位置ＶＰ（図２０（Ａ）参照）に到達する光Ｌ１ｆ２’を、図８（Ａ）に示す平面図に投影した拡大図である。図２１（Ｂ）は図８（Ａ）に示す状態の第１の実施形態のＬＥＤ照明装置１００のリフレクタ２ｂの外側反射面２ｂ２およびリフレクタ２ｆの外側反射面２ｆ２のうち、観察位置ＶＰ（図２０（Ａ）参照）から見た時に、ＬＥＤ光源１ｂ（図２０（Ａ）参照）およびＬＥＤ光源１ｆ（図２０（Ａ）参照）からの光によって光って見える部分２ｂ２ａ，２ｆ２ａを説明するための図である。
【００６７】
図２２および図２３は第１の実施形態のＬＥＤ照明装置１００の図１（Ａ）に示す状態の時に観察位置ＶＰに到達する光Ｌ１ａ２，Ｌ１ｂ２，Ｌ１ｆ２などを説明するための図である。詳細には、図２２（Ａ）は図１（Ａ）に示す状態の第１の実施形態のＬＥＤ照明装置１００のＬＥＤ光源１ａ（図１（Ｂ）参照）の発光面の発光中心から照射され、リフレクタ２ｂの内側反射面２ｂ１（図３（Ｂ）参照）によって反射され、リフレクタ２ａの外側反射面２ａ２によって反射され、観察位置ＶＰに到達する光Ｌ１ａ２を、図１（Ａ）に示す平面図に投影した図である。図２２（Ｂ）は図１（Ａ）に示す状態の第１の実施形態のＬＥＤ照明装置１００のリフレクタ２ａの外側反射面２ａ２のうち、観察位置ＶＰ（図２２（Ａ）参照）から見た時に、ＬＥＤ光源１ａ（図１（Ｂ）参照）からの光によって光って見える部分２ａ２ｂを説明するための図である。図２３（Ａ）は図１（Ａ）に示す状態の第１の実施形態のＬＥＤ照明装置１００のＬＥＤ光源１ｂ（図１（Ｂ）参照）の発光面の発光中心から照射され、リフレクタ２ｃの内側反射面２ｃ１（図３（Ｂ）参照）によって反射され、リフレクタ２ｂの外側反射面２ｂ２によって反射され、観察位置ＶＰ（図２２（Ａ）参照）に到達する光Ｌ１ｂ２、および、ＬＥＤ光源１ｆ（図１（Ｂ）参照）の発光面の発光中心から照射され、リフレクタ２ａの内側反射面２ａ１（図３（Ｂ）参照）によって反射され、リフレクタ２ｆの外側反射面２ｆ２によって反射され、観察位置ＶＰ（図２２（Ａ）参照）に到達する光Ｌ１ｆ２を、図１（Ａ）に示す平面図に投影した拡大図である。図２３（Ｂ）は図１（Ａ）に示す状態の第１の実施形態のＬＥＤ照明装置１００のリフレクタ２ｂの外側反射面２ｂ２およびリフレクタ２ｆの外側反射面２ｆ２のうち、観察位置ＶＰ（図２２（Ａ）参照）から見た時に、ＬＥＤ光源１ｂ（図１（Ｂ）参照）およびＬＥＤ光源１ｆ（図１（Ｂ）参照）からの光によって光って見える部分２ｂ２ｂ，２ｆ２ｂを説明するための図である。
【００６８】
図２４および図２５は第１の実施形態のＬＥＤ照明装置１００の図１３（Ａ）に示す状態の時に観察位置ＶＰに到達する光Ｌ１ａ２”，Ｌ１ｂ２”，Ｌ１ｆ２”などを説明するための図である。詳細には、図２４（Ａ）は図１３（Ａ）に示す状態の第１の実施形態のＬＥＤ照明装置１００のＬＥＤ光源１ａ（図１３（Ｂ）参照）の発光面の発光中心から照射され、リフレクタ２ｂの内側反射面２ｂ１（図３（Ｂ）参照）によって反射され、リフレクタ２ａの外側反射面２ａ２によって反射され、観察位置ＶＰに到達する光Ｌ１ａ２”を、図１３（Ａ）に示す平面図に投影した図である。図２４（Ｂ）は図１３（Ａ）に示す状態の第１の実施形態のＬＥＤ照明装置１００のリフレクタ２ａの外側反射面２ａ２のうち、観察位置ＶＰ（図２４（Ａ）参照）から見た時に、ＬＥＤ光源１ａ（図１３（Ｂ）参照）からの光によって光って見える部分２ａ２ｃを説明するための図である。図２５（Ａ）は図１３（Ａ）に示す状態の第１の実施形態のＬＥＤ照明装置１００のＬＥＤ光源１ｂ（図１３（Ｂ）参照）の発光面の発光中心から照射され、リフレクタ２ｃの内側反射面２ｃ１（図３（Ｂ）参照）によって反射され、リフレクタ２ｂの外側反射面２ｂ２によって反射され、観察位置ＶＰ（図２４（Ａ）参照）に到達する光Ｌ１ｂ２”、および、ＬＥＤ光源１ｆ（図１３（Ｂ）参照）の発光面の発光中心から照射され、リフレクタ２ａの内側反射面２ａ１（図３（Ｂ）参照）によって反射され、リフレクタ２ｆの外側反射面２ｆ２によって反射され、観察位置ＶＰ（図２４（Ａ）参照）に到達する光Ｌ１ｆ２”を、図１３（Ａ）に示す平面図に投影した拡大図である。図２５（Ｂ）は図１３（Ａ）に示す状態の第１の実施形態のＬＥＤ照明装置１００のリフレクタ２ｂの外側反射面２ｂ２およびリフレクタ２ｆの外側反射面２ｆ２のうち、観察位置ＶＰ（図２４（Ａ）参照）から見た時に、ＬＥＤ光源１ｂ（図１３（Ｂ）参照）およびＬＥＤ光源１ｆ（図１３（Ｂ）参照）からの光によって光って見える部分２ｂ２ｃ，２ｆ２ｃを説明するための図である。
【００６９】
図２６は第１の実施形態のＬＥＤ照明装置１００の図２６（Ａ）に示す状態の時に観察位置ＶＰに到達する光Ｌ１ａ３’などを説明するための図である。詳細には、図２６（Ａ）は図２６（Ａ）に示す状態の第１の実施形態のＬＥＤ照明装置１００のＬＥＤ光源１ａの発光面の発光中心から照射され、リフレクタ２ｃの内側反射面２ｃ１（図３（Ｂ）参照）によって反射され、リフレクタ２ｂの外側反射面２ｂ２によって反射され、観察位置ＶＰに到達する光Ｌ１ａ３’を、図２６（Ａ）に示す状態の第１の実施形態のＬＥＤ照明装置１００の平面図に投影した図である。図２６（Ｂ）は図２６（Ａ）に示す状態の第１の実施形態のＬＥＤ照明装置１００のリフレクタ２ｂの外側反射面２ｂ２のうち、観察位置ＶＰ（図２６（Ａ）参照）から見た時に、ＬＥＤ光源１ａ（図２６（Ａ）参照）からの光によって光って見える部分２ｂ２ａ’を説明するための図である。
【００７０】
図２７は第１の実施形態のＬＥＤ照明装置１００の図２７（Ａ）に示す状態の時に観察位置ＶＰに到達する光Ｌ１ａ３などを説明するための図である。詳細には、図２７（Ａ）は図２７（Ａ）に示す状態の第１の実施形態のＬＥＤ照明装置１００のＬＥＤ光源１ａ（図１（Ｂ）参照）の発光面の発光中心から照射され、リフレクタ２ｃの内側反射面２ｃ１（図３（Ｂ）参照）によって反射され、リフレクタ２ｂの外側反射面２ｂ２によって反射され、観察位置ＶＰに到達する光Ｌ１ａ３を、図２７（Ａ）に示す状態の第１の実施形態のＬＥＤ照明装置１００の平面図に投影した図である。図２７（Ｂ）は図２７（Ａ）に示す状態の第１の実施形態のＬＥＤ照明装置１００のリフレクタ２ｂの外側反射面２ｂ２のうち、観察位置ＶＰ（図２７（Ａ）参照）から見た時に、ＬＥＤ光源１ａ（図１（Ｂ）参照）からの光によって光って見える部分２ｂ２ｂ’を説明するための図である。
【００７１】
図２８は第１の実施形態のＬＥＤ照明装置１００の図２８（Ａ）に示す状態の時に観察位置ＶＰに到達する光Ｌ１ａ３”などを説明するための図である。詳細には、図２８（Ａ）は図２８（Ａ）に示す状態の第１の実施形態のＬＥＤ照明装置１００のＬＥＤ光源１ａ（図１（Ｂ）参照）の発光面の発光中心から照射され、リフレクタ２ｃの内側反射面２ｃ１（図３（Ｂ）参照）によって反射され、リフレクタ２ｂの外側反射面２ｂ２によって反射され、観察位置ＶＰに到達する光Ｌ１ａ３”を、図２８（Ａ）に示す状態の第１の実施形態のＬＥＤ照明装置１００の平面図に投影した図である。図２８（Ｂ）は図２８（Ａ）に示す状態の第１の実施形態のＬＥＤ照明装置１００のリフレクタ２ｂの外側反射面２ｂ２のうち、観察位置ＶＰ（図２８（Ａ）参照）から見た時に、ＬＥＤ光源１ａ（図１（Ｂ）参照）からの光によって光って見える部分２ｂ２ｃ’を説明するための図である。
【００７２】
図２９は第１の実施形態のＬＥＤ照明装置１００の図２９（Ａ）に示す状態の時に観察位置ＶＰに到達する光Ｌ１ａ４’などを説明するための図である。詳細には、図２９（Ａ）は図２９（Ａ）に示す状態の第１の実施形態のＬＥＤ照明装置１００のＬＥＤ光源１ａの発光面の発光中心から照射され、リフレクタ２ｄの内側反射面２ｄ１（図３（Ｂ）参照）によって反射され、リフレクタ２ｃの外側反射面２ｃ２によって反射され、観察位置ＶＰに到達する光Ｌ１ａ４’を、図２９（Ａ）に示す状態の第１の実施形態のＬＥＤ照明装置１００の平面図に投影した図である。図２９（Ｂ）は図２９（Ａ）に示す状態の第１の実施形態のＬＥＤ照明装置１００のリフレクタ２ｃの外側反射面２ｃ２のうち、観察位置ＶＰ（図２９（Ａ）参照）から見た時に、ＬＥＤ光源１ａ（図２９（Ａ）参照）からの光によって光って見える部分２ｃ２ａを説明するための図である。
【００７３】
図３０は第１の実施形態のＬＥＤ照明装置１００の図３０（Ａ）に示す状態の時に観察位置ＶＰに到達する光Ｌ１ａ４などを説明するための図である。詳細には、図３０（Ａ）は図３０（Ａ）に示す状態の第１の実施形態のＬＥＤ照明装置１００のＬＥＤ光源１ａ（図１（Ｂ）参照）の発光面の発光中心から照射され、リフレクタ２ｄの内側反射面２ｄ１（図３（Ｂ）参照）によって反射され、リフレクタ２ｃの外側反射面２ｃ２によって反射され、観察位置ＶＰに到達する光Ｌ１ａ４を、図３０（Ａ）に示す状態の第１の実施形態のＬＥＤ照明装置１００の平面図に投影した図である。図３０（Ｂ）は図３０（Ａ）に示す状態の第１の実施形態のＬＥＤ照明装置１００のリフレクタ２ｃの外側反射面２ｃ２のうち、観察位置ＶＰ（図３０（Ａ）参照）から見た時に、ＬＥＤ光源１ａ（図１（Ｂ）参照）からの光によって光って見える部分２ｃ２ｂを説明するための図である。
【００７４】
図３１は第１の実施形態のＬＥＤ照明装置１００の図３１（Ａ）に示す状態の時に観察位置ＶＰに到達する光Ｌ１ａ４”などを説明するための図である。詳細には、図３１（Ａ）は図３１（Ａ）に示す状態の第１の実施形態のＬＥＤ照明装置１００のＬＥＤ光源１ａ（図１（Ｂ）参照）の発光面の発光中心から照射され、リフレクタ２ｄの内側反射面２ｄ１（図３（Ｂ）参照）によって反射され、リフレクタ２ｃの外側反射面２ｃ２によって反射され、観察位置ＶＰに到達する光Ｌ１ａ４”を、図３１（Ａ）に示す状態の第１の実施形態のＬＥＤ照明装置１００の平面図に投影した図である。図３１（Ｂ）は図３１（Ａ）に示す状態の第１の実施形態のＬＥＤ照明装置１００のリフレクタ２ｃの外側反射面２ｃ２のうち、観察位置ＶＰ（図３１（Ａ）参照）から見た時に、ＬＥＤ光源１ａ（図１（Ｂ）参照）からの光によって光って見える部分２ｃ２ｃを説明するための図である。
【００７５】
図３２は第１の実施形態のＬＥＤ照明装置１００の図３２に示す状態の時に観察位置ＶＰに到達する光Ｌ１ａ５，Ｌ１ｃ５を説明するための図である。図３３は第１の実施形態のＬＥＤ照明装置１００の図３３に示す状態の時に観察位置ＶＰに到達する光Ｌ１ａ６”，Ｌ１ｃ６”を説明するための図である。図３４は第１の実施形態のＬＥＤ照明装置１００の図３４に示す状態の時に観察位置ＶＰに到達する光Ｌ１ａ７’，Ｌ１ｃ７’を説明するための図である。図３５（Ａ）は第１の実施形態のＬＥＤ照明装置１００のＬＥＤ光源１ａから照射され、リフレクタ３ａ１によって反射され、観察位置ＶＰに到達する光Ｌ１ａ８、および、ＬＥＤ光源１ｃから照射され、リフレクタ３ｂ１によって反射され、観察位置ＶＰに到達する光Ｌ１ｃ８を、図１８に示すリフレクタ群２（図１（Ａ）参照）を取り外した状態の第１の実施形態のＬＥＤ照明装置１００の平面図に投影した図である。図３５（Ｂ）は第１の実施形態のＬＥＤ照明装置１００のＬＥＤ光源１ｆから照射され、リフレクタ３ａ１によって反射され、観察位置ＶＰに到達する光Ｌ１ｆ８、および、ＬＥＤ光源１ｂから照射され、リフレクタ３ｂ１によって反射され、観察位置ＶＰに到達する光Ｌ１ｂ８を、図１８に示すリフレクタ群２（図１（Ａ）参照）を取り外した状態の第１の実施形態のＬＥＤ照明装置１００の平面図に投影した図である。
【００７６】
第１の実施形態のＬＥＤ照明装置１００では、図１（Ｂ）および図４に示すように、例えば６個のＬＥＤ光源１ａ，１ｂ，１ｃ，１ｄ，１ｅ，１ｆが設けられている。詳細には、６個のＬＥＤ光源１ａ，１ｂ，１ｃ，１ｄ，１ｅ，１ｆが、例えば環状の基板５（図２（Ａ）および図２（Ｂ）参照）に実装され、その基板５がベース部材３に接続されている。その結果、ＬＥＤ光源１ａ，１ｂ，１ｃ，１ｄ，１ｅ，１ｆがベース部材３に対して相対的に固定されている。
【００７７】
更に、第１の実施形態のＬＥＤ照明装置１００では、図１に示すように、ＬＥＤ光源１ａ，１ｂ，１ｃ，１ｄ，１ｅ，１ｆからの光を反射するための例えば６個の凹状のリフレクタ２ａ，２ｂ，２ｃ，２ｄ，２ｅ，２ｆが設けられている。詳細には、リフレクタ２ａ，２ｂ，２ｃ，２ｄ，２ｅ，２ｆが同一形状に形成され、中心軸線２’（図１（Ａ）参照）を中心に例えば６０°回転対称の関係を有するように、６個のリフレクタ２ａ，２ｂ，２ｃ，２ｄ，２ｅ，２ｆが中心軸線２’上の回転軸部２ｇに接続され、それらによってリフレクタ群２が構成されている。また、リフレクタ群２の回転軸部２ｇが、ベース部材３の軸受部３ｃ（図１（Ｂ）および図２参照）によって中心軸線２’を中心に回転可能に支持されている。更に、リフレクタ群２をベース部材３に対して回転させるための例えばモータ（図示せず）、ソレノイド（図示せず）などのような駆動手段が、リフレクタ群２の回転軸部２ｇに接続されている。
【００７８】
第１の実施形態のＬＥＤ照明装置１００では、図１（Ｂ）および図４に示すように、６個のＬＥＤ光源１ａ，１ｂ，１ｃ，１ｄ，１ｅ，１ｆが設けられているが、第２の実施形態のＬＥＤ照明装置１００では、代わりに、１個以上の任意の数のＬＥＤ光源を設けることも可能である。
【００７９】
第１の実施形態のＬＥＤ照明装置１００では、図１（Ａ）に示すように、中心軸線２’を中心に６０°回転対称の関係を有する６個のリフレクタ２ａ，２ｂ，２ｃ，２ｄ，２ｅ，２ｆが設けられているが、第３の実施形態のＬＥＤ照明装置１００では、代わりに、中心軸線２’を中心に９０°以下の回転対称の関係を有する２個以上の任意の数のリフレクタを設けることも可能である。具体的には、第３の実施形態のＬＥＤ照明装置１００では、例えば、６０°回転対称の関係を有する２個のリフレクタ２ａ，２ｂを有するリフレクタ群２を設けることも可能である。
【００８０】
また、第１の実施形態のＬＥＤ照明装置１００では、図３（Ｂ）および図５（Ａ）に示すように、凹状のリフレクタ２ａの内側表面に内側反射面２ａ１が形成されている。更に、リフレクタ２ａの内側反射面２ａ１が、回転放物面によって構成されている。同様に、凹状のリフレクタ２ｂ，２ｃ，２ｄ，２ｅ，２ｆの内側表面に内側反射面２ｂ１，２ｃ１，２ｄ１，２ｅ１，２ｆ１が形成されている。更に、リフレクタ２ｂ，２ｃ，２ｄ，２ｅ，２ｆの内側反射面２ｂ１，２ｃ１，２ｄ１，２ｅ１，２ｆ１が、回転放物面によって構成されている。
【００８１】
更に、第１の実施形態のＬＥＤ照明装置１００では、図１、図４および図５に示すように、ベース部材３の開口３ｄ１（図１（Ｂ）および図４参照）を介してＬＥＤ光源１ａがリフレクタ群２の凹状のリフレクタ２ａ，２ｂ，２ｃ，２ｄ，２ｅ，２ｆの内側反射面２ａ１，２ｂ１，２ｃ１，２ｄ１，２ｅ１，２ｆ１に対向せしめられている。同様に、ベース部材３の開口３ｄ２，３ｄ３，３ｄ４，３ｄ５，３ｄ６（図１（Ｂ）および図４参照）を介してＬＥＤ光源１ｂ，１ｃ，１ｄ，１ｅ，１ｆがリフレクタ群２の凹状のリフレクタ２ａ，２ｂ，２ｃ，２ｄ，２ｅ，２ｆの内側反射面２ａ１，２ｂ１，２ｃ１，２ｄ１，２ｅ１，２ｆ１に対向せしめられている。また、ＬＥＤ光源１ａ，１ｂ，１ｃ，１ｄ，１ｅ，１ｆの光軸１ａ’，１ｂ’，１ｃ’，１ｄ’，１ｅ’，１ｆ’が、リフレクタ群２の中心軸線２’に略平行に設定されている。
【００８２】
詳細には、第１の実施形態のＬＥＤ照明装置１００では、図５（Ａ）に示すように、回転放物面によって構成されたリフレクタ２ａの内側反射面２ａ１の焦点２ａ１ａを通る回転中心軸（つまり、回転放物面の回転中心軸）２ａ１’が、ＬＥＤ光源１ａ，１ｂ，１ｃ，１ｄ，１ｅ，１ｆの光軸１ａ’，１ｂ’，１ｃ’，１ｄ’，１ｅ’，１ｆ’に垂直に配置されている。同様に、図５（Ｂ）に示すように、回転放物面によって構成されたリフレクタ２ｂの内側反射面２ｂ１の焦点２ｂ１ａを通る回転中心軸２ｂ１’が、ＬＥＤ光源１ａ，１ｂ，１ｃ，１ｄ，１ｅ，１ｆの光軸１ａ’，１ｂ’，１ｃ’，１ｄ’，１ｅ’，１ｆ’に垂直に配置されている。また、図５（Ｃ）に示すように、回転放物面によって構成されたリフレクタ２ｃの内側反射面２ｃ１の焦点２ｃ１ａを通る回転中心軸２ｃ１’が、ＬＥＤ光源１ａ，１ｂ，１ｃ，１ｄ，１ｅ，１ｆの光軸１ａ’，１ｂ’，１ｃ’，１ｄ’，１ｅ’，１ｆ’に垂直に配置されている。更に、図５（Ｄ）に示すように、回転放物面によって構成されたリフレクタ２ｄの内側反射面２ｄ１の焦点２ｄ１ａを通る回転中心軸２ｄ１’が、ＬＥＤ光源１ａ，１ｂ，１ｃ，１ｄ，１ｅ，１ｆの光軸１ａ’，１ｂ’，１ｃ’，１ｄ’，１ｅ’，１ｆ’に垂直に配置されている。また、図５（Ｅ）に示すように、回転放物面によって構成されたリフレクタ２ｅの内側反射面２ｅ１の焦点２ｅ１ａを通る回転中心軸２ｅ１’が、ＬＥＤ光源１ａ，１ｂ，１ｃ，１ｄ，１ｅ，１ｆの光軸１ａ’，１ｂ’，１ｃ’，１ｄ’，１ｅ’，１ｆ’に垂直に配置されている。更に、図５（Ｆ）に示すように、回転放物面によって構成されたリフレクタ２ｆの内側反射面２ｆ１の焦点２ｆ１ａを通る回転中心軸２ｆ１’が、ＬＥＤ光源１ａ，１ｂ，１ｃ，１ｄ，１ｅ，１ｆの光軸１ａ’，１ｂ’，１ｃ’，１ｄ’，１ｅ’，１ｆ’に垂直に配置されている。
【００８３】
詳細には、第１の実施形態のＬＥＤ照明装置１００では、図５に示すように、回転中心軸２ａ１’，２ｂ１’，２ｃ１’，２ｄ１’，２ｅ１’，２ｆ１’を含む水平面ＰＬ１の下側（図５（Ａ）の左側、図５（Ｂ）の下側、図５（Ｃ）の右下側、図５（Ｄ）の右側、図５（Ｅ）の上側、図５（Ｆ）の左上側）にリフレクタ２ａ，２ｂ，２ｃ，２ｄ，２ｅ，２ｆが存在せず、水平面ＰＬ１の上側（図５（Ａ）の右側、図５（Ｂ）の上側、図５（Ｃ）の左上側、図５（Ｄ）の左側、図５（Ｅ）の下側、図５（Ｆ）の右下側）にリフレクタ２ａ，２ｂ，２ｃ，２ｄ，２ｅ，２ｆが存在するように、リフレクタ２ａ，２ｂ，２ｃ，２ｄ，２ｅ，２ｆが形成されている。更に、ＬＥＤ光源１ａ，１ｂ，１ｃ，１ｄ，１ｅ，１ｆの発光面がリフレクタ２ａ，２ｂ，２ｃ，２ｄ，２ｅ，２ｆの内側反射面２ａ１，２ｂ１，２ｃ１，２ｄ１，２ｅ１，２ｆ１に対向するように、ＬＥＤ光源１ａ，１ｂ，１ｃ，１ｄ，１ｅ，１ｆが配置されている。
【００８４】
更に、第１の実施形態のＬＥＤ照明装置１００では、図３（Ａ）および図５に示すように、凹状のリフレクタ２ａの外側表面に外側反射面２ａ２が形成されている。また、リフレクタ２ａの内側反射面２ａ１をオフセットさせた回転放物面を基本とする曲面によって、リフレクタ２ａの外側反射面２ａ２が構成されている。同様に、凹状のリフレクタ２ｂ，２ｃ，２ｄ，２ｅ，２ｆの外側表面に外側反射面２ｂ２，２ｃ２，２ｄ２，２ｅ２，２ｆ２が形成されている。また、リフレクタ２ｂ，２ｃ，２ｄ，２ｅ，２ｆの内側反射面２ｂ１，２ｃ１，２ｄ１，２ｅ１，２ｆ１をオフセットさせた回転放物面を基本とする曲面によって、リフレクタ２ｂ，２ｃ，２ｄ，２ｅ，２ｆの外側反射面２ｂ２，２ｃ２，２ｄ２，２ｅ２，２ｆ２が構成されている。
【００８５】
その結果、第１の実施形態のＬＥＤ照明装置１００では、図３に示すように、リフレクタ２ａの外側反射面２ａ２とリフレクタ２ｂの内側反射面２ｂ１とが対向せしめられ、リフレクタ２ｂの外側反射面２ｂ２とリフレクタ２ｃの内側反射面２ｃ１とが対向せしめられ、リフレクタ２ｃの外側反射面２ｃ２とリフレクタ２ｄの内側反射面２ｄ１とが対向せしめられ、リフレクタ２ｄの外側反射面２ｄ２とリフレクタ２ｅの内側反射面２ｅ１とが対向せしめられ、リフレクタ２ｅの外側反射面２ｅ２とリフレクタ２ｆの内側反射面２ｆ１とが対向せしめられ、リフレクタ２ｆの外側反射面２ｆ２とリフレクタ２ａの内側反射面２ａ１とが対向せしめられている。
【００８６】
また、第１の実施形態のＬＥＤ照明装置１００では、図４に示すように、ＬＥＤ光源１ａ，１ｂ，１ｃ，１ｄ，１ｅ，１ｆの光軸１ａ’，１ｂ’，１ｃ’，１ｄ’，１ｅ’，１ｆ’が、中心軸線２’から離間せしめられている。詳細には、中心軸線２’を中心とする円ＣＲ上であって、リフレクタ２ａ（図３（Ｂ）参照）の内側反射面２ａ１（図３（Ｂ）参照）の焦点２ａ１ａと、リフレクタ２ｂ（図３（Ｂ）参照）の内側反射面２ｂ１（図３（Ｂ）参照）の焦点２ｂ１ａと、リフレクタ２ｃ（図３（Ｂ）参照）の内側反射面２ｃ１（図３（Ｂ）参照）の焦点２ｃ１ａと、リフレクタ２ｄ（図３（Ｂ）参照）の内側反射面２ｄ１（図３（Ｂ）参照）の焦点２ｄ１ａと、リフレクタ２ｅ（図３（Ｂ）参照）の内側反射面２ｅ１（図３（Ｂ）参照）の焦点２ｅ１ａと、リフレクタ２ｆ（図３（Ｂ）参照）の内側反射面２ｆ１（図３（Ｂ）参照）の焦点２ｆ１ａとを通る円ＣＲ上にＬＥＤ光源１ａ，１ｂ，１ｃ，１ｄ，１ｅ，１ｆの発光面が配置されている。更に、中心軸線２’（図１（Ａ）参照）を中心に６０°回転対称の関係を有するように、６個のＬＥＤ光源１ａ，１ｂ，１ｃ，１ｄ，１ｅ，１ｆの発光面の発光中心が等間隔に円ＣＲ上に配列されている。
【００８７】
その結果、第１の実施形態のＬＥＤ照明装置１００では、図１（Ａ）、図４および図５に示すように、ＬＥＤ光源１ａ（図４および図５（Ｂ）参照）の発光面の発光中心がリフレクタ２ｂの内側反射面２ｂ１（図５（Ｂ）参照）の焦点２ｂ１ａ（図４および図５（Ｂ）参照）上に位置し、ＬＥＤ光源１ｂ（図４および図５（Ｃ）参照）の発光面の発光中心がリフレクタ２ｃの内側反射面２ｃ１（図５（Ｃ）参照）の焦点２ｃ１ａ（図４および図５（Ｃ）参照）上に位置し、ＬＥＤ光源１ｃ（図４および図５（Ｄ）参照）の発光面の発光中心がリフレクタ２ｄの内側反射面２ｄ１（図５（Ｄ）参照）の焦点２ｄ１ａ（図４および図５（Ｄ）参照）上に位置し、ＬＥＤ光源１ｄ（図４および図５（Ｅ）参照）の発光面の発光中心がリフレクタ２ｅの内側反射面２ｅ１（図５（Ｅ）参照）の焦点２ｅ１ａ（図４および図５（Ｅ）参照）上に位置し、ＬＥＤ光源１ｅ（図４および図５（Ｆ）参照）の発光面の発光中心がリフレクタ２ｆの内側反射面２ｆ１（図５（Ｆ）参照）の焦点２ｆ１ａ（図４および図５（Ｆ）参照）上に位置し、ＬＥＤ光源１ｆ（図４および図５（Ａ）参照）の発光面の発光中心がリフレクタ２ａの内側反射面２ａ１（図５（Ａ）参照）の焦点２ａ１ａ（図４および図５（Ａ）参照）上に位置する時、図６（Ｂ）に示すように、ＬＥＤ光源１ａ（図６（Ｂ）参照）の発光面の発光中心から照射され、リフレクタ２ｂ（図６（Ｂ）および図７参照）の内側反射面２ｂ１（図５（Ｂ）および図７（Ｂ）参照）によって反射された反射光Ｌ１ａ１（図６（Ｂ）および図７参照）が、水平面ＰＬ１に略平行な水平光になると共に、図７に示すように、リフレクタ２ｂの内側反射面２ｂ１の回転中心軸２ｂ１’に略平行な平行光になる。
【００８８】
また、この時、図６（Ｃ）に示すように、ＬＥＤ光源１ｂ（図６（Ｃ）参照）の発光面の発光中心から照射され、リフレクタ２ｃ（図６（Ｃ）および図７参照）の内側反射面２ｃ１（図５（Ｃ）および図７（Ｂ）参照）によって反射された反射光Ｌ１ｂ１（図６（Ｃ）および図７参照）が、水平面ＰＬ１に略平行な水平光になると共に、図７に示すように、リフレクタ２ｃの内側反射面２ｃ１の回転中心軸２ｃ１’に略平行な平行光になる。更に、この時、図６（Ｄ）に示すように、ＬＥＤ光源１ｃ（図６（Ｄ）参照）の発光面の発光中心から照射され、リフレクタ２ｄ（図６（Ｄ）および図７参照）の内側反射面２ｄ１（図５（Ｄ）および図７（Ｂ）参照）によって反射された反射光Ｌ１ｃ１（図６（Ｄ）および図７参照）が、水平面ＰＬ１に略平行な水平光になると共に、図７に示すように、リフレクタ２ｄの内側反射面２ｄ１の回転中心軸２ｄ１’に略平行な平行光になる。同様に、この時、図６（Ｅ）に示すように、ＬＥＤ光源１ｄ（図６（Ｅ）参照）の発光面の発光中心から照射され、リフレクタ２ｅ（図６（Ｅ）および図７参照）の内側反射面２ｅ１（図５（Ｅ）および図７（Ｂ）参照）によって反射された反射光Ｌ１ｄ１（図６（Ｅ）および図７参照）が、水平面ＰＬ１に略平行な水平光になると共に、図７に示すように、リフレクタ２ｅの内側反射面２ｅ１の回転中心軸２ｅ１’に略平行な平行光になる。また、この時、図６（Ｆ）に示すように、ＬＥＤ光源１ｅ（図６（Ｆ）参照）の発光面の発光中心から照射され、リフレクタ２ｆ（図６（Ｆ）および図７参照）の内側反射面２ｆ１（図５（Ｆ）および図７（Ｂ）参照）によって反射された反射光Ｌ１ｅ１（図６（Ｆ）および図７参照）が、水平面ＰＬ１に略平行な水平光になると共に、図７に示すように、リフレクタ２ｆの内側反射面２ｆ１の回転中心軸２ｆ１’に略平行な平行光になる。更に、この時、図６（Ａ）に示すように、ＬＥＤ光源１ｆ（図６（Ａ）参照）の発光面の発光中心から照射され、リフレクタ２ａ（図６（Ａ）および図７参照）の内側反射面２ａ１（図５（Ａ）および図７（Ｂ）参照）によって反射された反射光Ｌ１ｆ１（図６（Ａ）および図７参照）が、水平面ＰＬ１に略平行な水平光になると共に、図７に示すように、リフレクタ２ａの内側反射面２ａ１の回転中心軸２ａ１’に略平行な平行光になる。
【００８９】
一方、第１の実施形態のＬＥＤ照明装置１００では、図８（Ａ）、図９および図１０に示すように、ＬＥＤ光源１ａ（図９および図１０（Ｂ）参照）の発光面の発光中心がリフレクタ２ｂの内側反射面２ｂ１（図１０（Ｂ）参照）の焦点２ｂ１ａ（図９および図１０（Ｂ）参照）を隔ててリフレクタ２ｂの内側反射面２ｂ１の反対側に位置し、ＬＥＤ光源１ｂ（図９および図１０（Ｃ）参照）の発光面の発光中心がリフレクタ２ｃの内側反射面２ｃ１（図１０（Ｃ）参照）の焦点２ｃ１ａ（図９および図１０（Ｃ）参照）を隔ててリフレクタ２ｃの内側反射面２ｃ１の反対側に位置し、ＬＥＤ光源１ｃ（図９および図１０（Ｄ）参照）の発光面の発光中心がリフレクタ２ｄの内側反射面２ｄ１（図１０（Ｄ）参照）の焦点２ｄ１ａ（図９および図１０（Ｄ）参照）を隔ててリフレクタ２ｄの内側反射面２ｄ１の反対側に位置し、ＬＥＤ光源１ｄ（図９および図１０（Ｅ）参照）の発光面の発光中心がリフレクタ２ｅの内側反射面２ｅ１（図１０（Ｅ）参照）の焦点２ｅ１ａ（図９および図１０（Ｅ）参照）を隔ててリフレクタ２ｅの内側反射面２ｅ１の反対側に位置し、ＬＥＤ光源１ｅ（図９および図１０（Ｆ）参照）の発光面の発光中心がリフレクタ２ｆの内側反射面２ｆ１（図１０（Ｆ）参照）の焦点２ｆ１ａ（図９および図１０（Ｆ）参照）を隔ててリフレクタ２ｆの内側反射面２ｆ１の反対側に位置し、ＬＥＤ光源１ｆ（図９および図１０（Ａ）参照）の発光面の発光中心がリフレクタ２ａの内側反射面２ａ１（図１０（Ａ）参照）の焦点２ａ１ａ（図９および図１０（Ａ）参照）を隔ててリフレクタ２ａの内側反射面２ａ１の反対側に位置する時、図１１（Ｂ）に示すように、ＬＥＤ光源１ａ（図１１（Ｂ）参照）の発光面の発光中心から照射され、リフレクタ２ｂ（図１１（Ｂ）および図１２参照）の内側反射面２ｂ１（図１０（Ｂ）および図１２（Ｂ）参照）によって反射された反射光Ｌ１ａ１’（図１１（Ｂ）および図１２参照）が、水平面ＰＬ１に近づく側に進む下向きの光になると共に、図１２に示すように、リフレクタ２ｂの内側反射面２ｂ１の回転中心軸２ｂ１’に近づく側に進む光になる。
【００９０】
また、この時、図１１（Ｃ）に示すように、ＬＥＤ光源１ｂ（図１１（Ｃ）参照）の発光面の発光中心から照射され、リフレクタ２ｃ（図１１（Ｃ）および図１２参照）の内側反射面２ｃ１（図１０（Ｃ）および図１２（Ｂ）参照）によって反射された反射光Ｌ１ｂ１’（図１１（Ｃ）および図１２参照）が、水平面ＰＬ１に近づく側に進む下向きの光になると共に、図１２に示すように、リフレクタ２ｃの内側反射面２ｃ１の回転中心軸２ｃ１’に近づく側に進む光になる。更に、この時、図１１（Ｄ）に示すように、ＬＥＤ光源１ｃ（図１１（Ｄ）参照）の発光面の発光中心から照射され、リフレクタ２ｄ（図１１（Ｄ）および図１２参照）の内側反射面２ｄ１（図１０（Ｄ）および図１２（Ｂ）参照）によって反射された反射光Ｌ１ｃ１’（図１１（Ｄ）および図１２参照）が、水平面ＰＬ１に近づく側に進む下向きの光になると共に、図１２に示すように、リフレクタ２ｄの内側反射面２ｄ１の回転中心軸２ｄ１’に近づく側に進む光になる。また、この時、図１１（Ｅ）に示すように、ＬＥＤ光源１ｄ（図１１（Ｅ）参照）の発光面の発光中心から照射され、リフレクタ２ｅ（図１１（Ｅ）および図１２参照）の内側反射面２ｅ１（図１０（Ｅ）および図１２（Ｂ）参照）によって反射された反射光Ｌ１ｄ１’（図１１（Ｅ）および図１２参照）が、水平面ＰＬ１に近づく側に進む下向きの光になると共に、図１２に示すように、リフレクタ２ｅの内側反射面２ｅ１の回転中心軸２ｅ１’に近づく側に進む光になる。更に、この時、図１１（Ｆ）に示すように、ＬＥＤ光源１ｅ（図１１（Ｆ）参照）の発光面の発光中心から照射され、リフレクタ２ｆ（図１１（Ｆ）および図１２参照）の内側反射面２ｆ１（図１０（Ｆ）および図１２（Ｂ）参照）によって反射された反射光Ｌ１ｅ１’（図１１（Ｆ）および図１２参照）が、水平面ＰＬ１に近づく側に進む下向きの光になると共に、図１２に示すように、リフレクタ２ｆの内側反射面２ｆ１の回転中心軸２ｆ１’に近づく側に進む光になる。また、この時、図１１（Ａ）に示すように、ＬＥＤ光源１ｆ（図１１（Ａ）参照）の発光面の発光中心から照射され、リフレクタ２ａ（図１１（Ａ）および図１２参照）の内側反射面２ａ１（図１０（Ａ）および図１２（Ｂ）参照）によって反射された反射光Ｌ１ｆ１’（図１１（Ａ）および図１２参照）が、水平面ＰＬ１に近づく側に進む下向きの光になると共に、図１２に示すように、リフレクタ２ａの内側反射面２ａ１の回転中心軸２ａ１’に近づく側に進む光になる。
【００９１】
更に、第１の実施形態のＬＥＤ照明装置１００では、図１３（Ａ）、図１４および図１５に示すように、ＬＥＤ光源１ａ（図１４および図１５（Ｂ）参照）の発光面の発光中心がリフレクタ２ｂの内側反射面２ｂ１（図１５（Ｂ）参照）の焦点２ｂ１ａ（図１４および図１５（Ｂ）参照）とリフレクタ２ｂの内側反射面２ｂ１との間に位置し、ＬＥＤ光源１ｂ（図１４および図１５（Ｃ）参照）の発光面の発光中心がリフレクタ２ｃの内側反射面２ｃ１（図１５（Ｃ）参照）の焦点２ｃ１ａ（図１４および図１５（Ｃ）参照）とリフレクタ２ｃの内側反射面２ｃ１との間に位置し、ＬＥＤ光源１ｃ（図１４および図１５（Ｄ）参照）の発光面の発光中心がリフレクタ２ｄの内側反射面２ｄ１（図１５（Ｄ）参照）の焦点２ｄ１ａ（図１４および図１５（Ｄ）参照）とリフレクタ２ｄの内側反射面２ｄ１との間に位置し、ＬＥＤ光源１ｄ（図１４および図１５（Ｅ）参照）の発光面の発光中心がリフレクタ２ｅの内側反射面２ｅ１（図１５（Ｅ）参照）の焦点２ｅ１ａ（図１４および図１５（Ｅ）参照）とリフレクタ２ｅの内側反射面２ｅ１との間に位置し、ＬＥＤ光源１ｅ（図１４および図１５（Ｆ）参照）の発光面の発光中心がリフレクタ２ｆの内側反射面２ｆ１（図１５（Ｆ）参照）の焦点２ｆ１ａ（図１４および図１５（Ｆ）参照）とリフレクタ２ｆの内側反射面２ｆ１との間に位置し、ＬＥＤ光源１ｆ（図１４および図１５（Ａ）参照）の発光面の発光中心がリフレクタ２ａの内側反射面２ａ１（図１５（Ａ）参照）の焦点２ａ１ａ（図１４および図１５（Ａ）参照）とリフレクタ２ａの内側反射面２ａ１との間に位置する時、図１６（Ｂ）に示すように、ＬＥＤ光源１ａ（図１６（Ｂ）参照）の発光面の発光中心から照射され、リフレクタ２ｂ（図１６（Ｂ）および図１７参照）の内側反射面２ｂ１（図１５（Ｂ）および図１７（Ｂ）参照）によって反射された反射光Ｌ１ａ１”（図１６（Ｂ）および図１７参照）が、水平面ＰＬ１から離れる側に進む上向きの光になると共に、図１７に示すように、リフレクタ２ｂの内側反射面２ｂ１の回転中心軸２ｂ１’から離れる側に進む光になる。
【００９２】
また、この時、図１６（Ｃ）に示すように、ＬＥＤ光源１ｂ（図１６（Ｃ）参照）の発光面の発光中心から照射され、リフレクタ２ｃ（図１６（Ｃ）および図１７参照）の内側反射面２ｃ１（図１５（Ｃ）および図１７（Ｂ）参照）によって反射された反射光Ｌ１ｂ１”（図１６（Ｃ）および図１７参照）が、水平面ＰＬ１から離れる側に進む上向きの光になると共に、図１７に示すように、リフレクタ２ｃの内側反射面２ｃ１の回転中心軸２ｃ１’から離れる側に進む光になる。更に、この時、図１６（Ｄ）に示すように、ＬＥＤ光源１ｃ（図１６（Ｄ）参照）の発光面の発光中心から照射され、リフレクタ２ｄ（図１６（Ｄ）および図１７参照）の内側反射面２ｄ１（図１５（Ｄ）および図１７（Ｂ）参照）によって反射された反射光Ｌ１ｃ１”（図１６（Ｄ）および図１７参照）が、水平面ＰＬ１から離れる側に進む上向きの光になると共に、図１７に示すように、リフレクタ２ｄの内側反射面２ｄ１の回転中心軸２ｄ１’から離れる側に進む光になる。また、この時、図１６（Ｅ）に示すように、ＬＥＤ光源１ｄ（図１６（Ｅ）参照）の発光面の発光中心から照射され、リフレクタ２ｅ（図１６（Ｅ）および図１７参照）の内側反射面２ｅ１（図１５（Ｅ）および図１７（Ｂ）参照）によって反射された反射光Ｌ１ｄ１”（図１６（Ｅ）および図１７参照）が、水平面ＰＬ１から離れる側に進む上向きの光になると共に、図１７に示すように、リフレクタ２ｅの内側反射面２ｅ１の回転中心軸２ｅ１’から離れる側に進む光になる。更に、この時、図１６（Ｆ）に示すように、ＬＥＤ光源１ｅ（図１６（Ｆ）参照）の発光面の発光中心から照射され、リフレクタ２ｆ（図１６（Ｆ）および図１７参照）の内側反射面２ｆ１（図１５（Ｆ）および図１７（Ｂ）参照）によって反射された反射光Ｌ１ｅ１”（図１６（Ｆ）および図１７参照）が、水平面ＰＬ１から離れる側に進む上向きの光になると共に、図１７に示すように、リフレクタ２ｆの内側反射面２ｆ１の回転中心軸２ｆ１’から離れる側に進む光になる。また、この時、図１６（Ａ）に示すように、ＬＥＤ光源１ｆ（図１６（Ａ）参照）の発光面の発光中心から照射され、リフレクタ２ａ（図１６（Ａ）および図１７参照）の内側反射面２ａ１（図１５（Ａ）および図１７（Ｂ）参照）によって反射された反射光Ｌ１ｆ１”（図１６（Ａ）および図１７参照）が、水平面ＰＬ１から離れる側に進む上向きの光になると共に、図１７に示すように、リフレクタ２ａの内側反射面２ａ１の回転中心軸２ａ１’から離れる側に進む光になる。
【００９３】
その結果、第１の実施形態のＬＥＤ照明装置１００では、例えば図１８および図１９に示すようにＬＥＤ光源１ａの光軸１ａ’と中心軸線２’とを含む平面（鉛直面）ＰＬ２上であって、ＬＥＤ光源１ａの光軸１ａ’を隔てて中心軸線２’の反対側であって、リフレクタ２ａ，２ｂ，２ｃ，２ｄ，２ｅ，２ｆ（図１（Ａ）および図３参照）の外側反射面２ａ２，２ｂ２，２ｃ２，２ｄ２，２ｅ２，２ｆ２（図３（Ａ）参照）に対向する位置に観察位置ＶＰが設定されている場合、リフレクタ２ｂの内側反射面２ｂ１（図３（Ｂ）参照）がリフレクタ２ａの外側反射面２ａ２の側に移動するように、リフレクタ群２（図１（Ａ）および図３参照）が中心軸線２’を中心にＬＥＤ光源１ａ，１ｂ，１ｃ，１ｄ，１ｅ，１ｆに対して相対的に回転する時（つまり、リフレクタ群２が図１（Ａ）の時計回りに回転する時）に観察位置ＶＰ（図１８および図１９参照）からリフレクタ２ａの外側反射面２ａ２を見ると、例えば、まず最初に、図８（Ａ）に示す状態になる。詳細には、その状態では、図２０（Ａ）に示すように、リフレクタ２ｂの内側反射面２ｂ１（図１０（Ｂ）参照）の焦点２ｂ１ａを隔ててリフレクタ２ｂの内側反射面２ｂ１（図１０（Ｂ）参照）の反対側に位置するＬＥＤ光源１ａの発光面から照射され、リフレクタ２ｂの内側反射面２ｂ１（図１０（Ｂ）参照）によって反射され、リフレクタ２ａの外側反射面２ａ２によって反射され、観察位置ＶＰに到達する光Ｌ１ａ２’により、リフレクタ２ａの外側反射面２ａ２の部分２ａ２ａ（図２０（Ｂ）参照）が光って見える。
【００９４】
更に、図８（Ａ）および図２０（Ａ）に示す状態では、図２１（Ａ）に示すように、リフレクタ２ｃの内側反射面２ｃ１（図１０（Ｃ）参照）の焦点２ｃ１ａを隔ててリフレクタ２ｃの内側反射面２ｃ１（図１０（Ｃ）参照）の反対側に位置するＬＥＤ光源１ｂの発光面から照射され、リフレクタ２ｃの内側反射面２ｃ１（図１０（Ｃ）参照）によって反射され、リフレクタ２ｂの外側反射面２ｂ２によって反射され、観察位置ＶＰ（図２０（Ａ）参照）に到達する光Ｌ１ｂ２’により、リフレクタ２ｂの外側反射面２ｂ２の部分２ｂ２ａ（図２１（Ｂ）参照）が光って見える。また、図８（Ａ）および図２０（Ａ）に示す状態では、図２１（Ａ）に示すように、リフレクタ２ａの内側反射面２ａ１（図１０（Ａ）参照）の焦点２ａ１ａを隔ててリフレクタ２ａの内側反射面２ａ１（図１０（Ａ）参照）の反対側に位置するＬＥＤ光源１ｆの発光面から照射され、リフレクタ２ａの内側反射面２ａ１（図１０（Ａ）参照）によって反射され、リフレクタ２ｆの外側反射面２ｆ２によって反射され、観察位置ＶＰ（図２０（Ａ）参照）に到達する光Ｌ１ｆ２’により、リフレクタ２ｆの外側反射面２ｆ２の部分２ｆ２ａ（図２１（Ｂ）参照）が光って見える。
【００９５】
次いで、リフレクタ群２が図１（Ａ）の時計回りに回転し、図１（Ａ）に示す状態になる。詳細には、その状態では、図２２（Ａ）に示すように、リフレクタ２ｂの内側反射面２ｂ１（図５（Ｂ）参照）の焦点２ｂ１ａ上に位置するＬＥＤ光源１ａの発光面から照射され、リフレクタ２ｂの内側反射面２ｂ１（図５（Ｂ）参照）によって反射され、リフレクタ２ａの外側反射面２ａ２によって反射され、観察位置ＶＰに到達する光Ｌ１ａ２により、リフレクタ２ａの外側反射面２ａ２のうち、部分２ａ２ａ（図２０（Ｂ）および図２２（Ｂ）参照）よりも中心軸線２’（図２２（Ｂ）参照）に近い部分２ａ２ｂ（図２２（Ｂ）参照）が光って見える。
【００９６】
更に、図１（Ａ）および図２２（Ａ）に示す状態では、図２３（Ａ）に示すように、リフレクタ２ｃの内側反射面２ｃ１（図５（Ｃ）参照）の焦点２ｃ１ａ上に位置するＬＥＤ光源１ｂの発光面から照射され、リフレクタ２ｃの内側反射面２ｃ１（図５（Ｃ）参照）によって反射され、リフレクタ２ｂの外側反射面２ｂ２によって反射され、観察位置ＶＰ（図２２（Ａ）参照）に到達する光Ｌ１ｂ２により、リフレクタ２ｂの外側反射面２ｂ２のうち、部分２ｂ２ａ（図２１（Ｂ）参照）よりも中心軸線２’（図２３（Ｂ）参照）に近い部分２ｂ２ｂ（図２３（Ｂ）参照）が光って見える。また、図１（Ａ）および図２２（Ａ）に示す状態では、図２３（Ａ）に示すように、リフレクタ２ａの内側反射面２ａ１（図５（Ａ）参照）の焦点２ａ１ａ上に位置するＬＥＤ光源１ｆの発光面から照射され、リフレクタ２ａの内側反射面２ａ１（図５（Ａ）参照）によって反射され、リフレクタ２ｆの外側反射面２ｆ２によって反射され、観察位置ＶＰ（図２２（Ａ）参照）に到達する光Ｌ１ｆ２により、リフレクタ２ｆの外側反射面２ｆ２のうち、部分２ｆ２ａ（図２１（Ｂ）参照）よりも中心軸線２’（図２３（Ｂ）参照）に近い部分２ｆ２ｂ（図２３（Ｂ）参照）が光って見える。
【００９７】
次いで、リフレクタ群２が図１（Ａ）の時計回りに更に回転し、図１３（Ａ）に示す状態になる。詳細には、その状態では、図２４（Ａ）に示すように、リフレクタ２ｂの内側反射面２ｂ１（図１５（Ｂ）参照）の焦点２ｂ１ａとリフレクタ２ｂの内側反射面２ｂ１（図１５（Ｂ）参照）との間に位置するＬＥＤ光源１ａの発光面から照射され、リフレクタ２ｂの内側反射面２ｂ１（図１５（Ｂ）参照）によって反射され、リフレクタ２ａの外側反射面２ａ２によって反射され、観察位置ＶＰに到達する光Ｌ１ａ２”により、リフレクタ２ａの外側反射面２ａ２のうち、部分２ａ２ｂ（図２２（Ｂ）および図２４（Ｂ）参照）よりも中心軸線２’（図２４（Ｂ）参照）に近い部分２ａ２ｃ（図２４（Ｂ）参照）が光って見える。
【００９８】
更に、図１３（Ａ）および図２４（Ａ）に示す状態では、図２５（Ａ）に示すように、リフレクタ２ｃの内側反射面２ｃ１（図１５（Ｃ）参照）の焦点２ｃ１ａとリフレクタ２ｃの内側反射面２ｃ１（図１５（Ｃ）参照）との間に位置するＬＥＤ光源１ｂの発光面から照射され、リフレクタ２ｃの内側反射面２ｃ１（図１５（Ｃ）参照）によって反射され、リフレクタ２ｂの外側反射面２ｂ２によって反射され、観察位置ＶＰ（図２４（Ａ）参照）に到達する光Ｌ１ｂ２”により、リフレクタ２ｂの外側反射面２ｂ２のうち、部分２ｂ２ｂ（図２３（Ｂ）参照）よりも中心軸線２’（図２５（Ｂ）参照）に近い部分２ｂ２ｃ（図２５（Ｂ）参照）が光って見える。また、図１３（Ａ）および図２４（Ａ）に示す状態では、図２５（Ａ）に示すように、リフレクタ２ａの内側反射面２ａ１（図１５（Ａ）参照）の焦点２ａ１ａとリフレクタ２ａの内側反射面２ａ１（図１５（Ａ）参照）との間に位置するＬＥＤ光源１ｆの発光面から照射され、リフレクタ２ａの内側反射面２ａ１（図１５（Ａ）参照）によって反射され、リフレクタ２ｆの外側反射面２ｆ２によって反射され、観察位置ＶＰ（図２４（Ａ）参照）に到達する光Ｌ１ｆ２”により、リフレクタ２ｆの外側反射面２ｆ２のうち、部分２ｆ２ｂ（図２３（Ｂ）参照）よりも中心軸線２’（図２５（Ｂ）参照）に近い部分２ｆ２ｃ（図２５（Ｂ）参照）が光って見える。
【００９９】
つまり、第１の実施形態のＬＥＤ照明装置１００では、リフレクタ２ｂの内側反射面２ｂ１がリフレクタ２ａの外側反射面２ａ２の側に移動するように、リフレクタ２ａ，２ｂ，２ｃ，２ｄ，２ｅ，２ｆが中心軸線２’を中心にＬＥＤ光源１ａ，１ｂ，１ｃ，１ｄ，１ｅ，１ｆに対して図１（Ａ）の時計回りに回転している時に、観察位置ＶＰからリフレクタ２ａの外側反射面２ａ２、リフレクタ２ｂの外側反射面２ｂ２およびリフレクタ２ｆの外側反射面２ｆ２を見ると、例えば、まず最初に、リフレクタ２ａの外側反射面２ａ２の部分２ａ２ａ、リフレクタ２ｂの外側反射面２ｂ２の部分２ｂ２ａおよびリフレクタ２ｆの外側反射面２ｆ２の部分２ｆ２ａが光って見える見え方になり、次いで、リフレクタ２ａの外側反射面２ａ２の部分２ａ２ｂ、リフレクタ２ｂの外側反射面２ｂ２の部分２ｂ２ｂおよびリフレクタ２ｆの外側反射面２ｆ２の部分２ｆ２ｂが光って見える見え方になり、次いで、リフレクタ２ａの外側反射面２ａ２の部分２ａ２ｃ、リフレクタ２ｂの外側反射面２ｂ２の部分２ｂ２ｃおよびリフレクタ２ｆの外側反射面２ｆ２の部分２ｆ２ｃが光って見える見え方になる。
【０１００】
すなわち、第１の実施形態のＬＥＤ照明装置１００では、リフレクタ２ｂの内側反射面２ｂ１がリフレクタ２ａの外側反射面２ａ２の側に移動するように、リフレクタ２ａ，２ｂ，２ｃ，２ｄ，２ｅ，２ｆが中心軸線２’を中心にＬＥＤ光源１ａ，１ｂ，１ｃ，１ｄ，１ｅ，１ｆに対して図１（Ａ）の時計回りに回転している時に、観察位置ＶＰからリフレクタ２ａの外側反射面２ａ２、リフレクタ２ｂの外側反射面２ｂ２およびリフレクタ２ｆの外側反射面２ｆ２を見ると、リフレクタ２ａの外側反射面２ａ２、リフレクタ２ｂの外側反射面２ｂ２およびリフレクタ２ｆの外側反射面２ｆ２の見え方が３通りに変化する。
【０１０１】
更に、第１の実施形態のＬＥＤ照明装置１００では、次いで、リフレクタ群２が図１（Ａ）の時計回りに更に回転し、図２６（Ａ）に示す状態になる。詳細には、その状態では、図２６（Ａ）に示すように、リフレクタ２ｃの内側反射面２ｃ１（図３（Ｂ）参照）の焦点２ｃ１ａを隔ててリフレクタ２ｃの内側反射面２ｃ１（図３（Ｂ）参照）の反対側に位置するＬＥＤ光源１ａの発光面から照射され、リフレクタ２ｃの内側反射面２ｃ１（図３（Ｂ）参照）によって反射され、リフレクタ２ｂの外側反射面２ｂ２によって反射され、観察位置ＶＰに到達する光Ｌ１ａ３’により、リフレクタ２ｂの外側反射面２ｂ２の部分２ｂ２ａ’（図２６（Ｂ）参照）が光って見える。
【０１０２】
次いで、リフレクタ群２が図１（Ａ）の時計回りに回転し、図２７（Ａ）に示す状態になる。詳細には、その状態では、図２７（Ａ）に示すように、リフレクタ２ｃの内側反射面２ｃ１（図３（Ｂ）参照）の焦点２ｃ１ａ上に位置するＬＥＤ光源１ａの発光面から照射され、リフレクタ２ｃの内側反射面２ｃ１（図３（Ｂ）参照）によって反射され、リフレクタ２ｂの外側反射面２ｂ２によって反射され、観察位置ＶＰに到達する光Ｌ１ａ３により、リフレクタ２ｂの外側反射面２ｂ２のうち、部分２ｂ２ａ’（図２６（Ｂ）および図２７（Ｂ）参照）よりも中心軸線２’（図２７（Ｂ）参照）に近い部分２ｂ２ｂ’（図２７（Ｂ）参照）が光って見える。
【０１０３】
次いで、リフレクタ群２が図１（Ａ）の時計回りに回転し、図２８（Ａ）に示す状態になる。詳細には、その状態では、図２８（Ａ）に示すように、リフレクタ２ｃの内側反射面２ｃ１（図３（Ｂ）参照）の焦点２ｃ１ａとリフレクタ２ｃの内側反射面２ｃ１（図３（Ｂ）参照）との間に位置するＬＥＤ光源１ａの発光面から照射され、リフレクタ２ｃの内側反射面２ｃ１（図３（Ｂ）参照）によって反射され、リフレクタ２ｂの外側反射面２ｂ２によって反射され、観察位置ＶＰに到達する光Ｌ１ａ３”により、リフレクタ２ｂの外側反射面２ｂ２のうち、部分２ｂ２ｂ’（図２７（Ｂ）および図２８（Ｂ）参照）よりも中心軸線２’（図２８（Ｂ）参照）に近い部分２ｂ２ｃ”（図２８（Ｂ）参照）が光って見える。
【０１０４】
次いで、リフレクタ群２が図１（Ａ）の時計回りに更に回転し、図２９（Ａ）に示す状態になる。詳細には、その状態では、図２９（Ａ）に示すように、リフレクタ２ｄの内側反射面２ｄ１（図３（Ｂ）参照）の焦点２ｄ１ａを隔ててリフレクタ２ｄの内側反射面２ｄ１（図３（Ｂ）参照）の反対側に位置するＬＥＤ光源１ａの発光面から照射され、リフレクタ２ｄの内側反射面２ｄ１（図３（Ｂ）参照）によって反射され、リフレクタ２ｃの外側反射面２ｃ２によって反射され、観察位置ＶＰに到達する光Ｌ１ａ４’により、リフレクタ２ｃの外側反射面２ｃ２の部分２ｃ２ａ（図２９（Ｂ）参照）が光って見える。
【０１０５】
次いで、リフレクタ群２が図１（Ａ）の時計回りに回転し、図３０（Ａ）に示す状態になる。詳細には、その状態では、図３０（Ａ）に示すように、リフレクタ２ｄの内側反射面２ｄ１（図３（Ｂ）参照）の焦点２ｄ１ａ上に位置するＬＥＤ光源１ａの発光面から照射され、リフレクタ２ｄの内側反射面２ｄ１（図３（Ｂ）参照）によって反射され、リフレクタ２ｃの外側反射面２ｃ２によって反射され、観察位置ＶＰに到達する光Ｌ１ａ４により、リフレクタ２ｃの外側反射面２ｃ２のうち、部分２ｃ２ａ（図２９（Ｂ）および図３０（Ｂ）参照）よりも中心軸線２’（図３０（Ｂ）参照）に近い部分２ｃ２ｂ（図３０（Ｂ）参照）が光って見える。
【０１０６】
次いで、リフレクタ群２が図１（Ａ）の時計回りに回転し、図３１（Ａ）に示す状態になる。詳細には、その状態では、図３１（Ａ）に示すように、リフレクタ２ｄの内側反射面２ｄ１（図３（Ｂ）参照）の焦点２ｄ１ａとリフレクタ２ｄの内側反射面２ｄ１（図３（Ｂ）参照）との間に位置するＬＥＤ光源１ａの発光面から照射され、リフレクタ２ｄの内側反射面２ｄ１（図３（Ｂ）参照）によって反射され、リフレクタ２ｃの外側反射面２ｃ２によって反射され、観察位置ＶＰに到達する光Ｌ１ａ４”により、リフレクタ２ｃの外側反射面２ｃ２のうち、部分２ｃ２ｂ（図３０（Ｂ）および図３１（Ｂ）参照）よりも中心軸線２’（図３１（Ｂ）参照）に近い部分２ｃ２ｃ（図３１（Ｂ）参照）が光って見える。
【０１０７】
つまり、第１の実施形態のＬＥＤ照明装置１００では、図８（Ａ）に示す状態から図３１（Ａ）に示す状態までリフレクタ群２が図１（Ａ）の時計回りに回転する間に、観察位置ＶＰからリフレクタ２ａの外側反射面２ａ２、リフレクタ２ｂの外側反射面２ｂ２、および、リフレクタ２ｃの外側反射面２ｃ２を見ると、まず最初に、図２０、図２２および図２４に示すように、ＬＥＤ光源１ａからの光によって、リフレクタ２ａの外側反射面２ａ２が光って見え、次いで、図２６、図２７および図２８に示すように、ＬＥＤ光源１ａからの光によって、リフレクタ２ａと同一形状のリフレクタ２ｂの外側反射面２ｂ２が光って見え、次いで、図２９、図３０および図３１に示すように、ＬＥＤ光源１ａからの光によって、リフレクタ２ａと同一形状のリフレクタ２ｃの外側反射面２ｃ２が光って見える。
【０１０８】
そのため、第１の実施形態のＬＥＤ照明装置１００によれば、リフレクタ２ａおよびリフレクタ２ｂのみが回転軸部２ｇに接続されている場合よりも、観察位置ＶＰから見た時に、リフレクタ群２が１回転する間に、ＬＥＤ光源１ａからの光によってリフレクタ群２が光って見える時間の割合を増加させることができる。
【０１０９】
また、第１の実施形態のＬＥＤ照明装置１００では、図１および図２に示すように、ＬＥＤ光源１ａ，１ｂ，１ｃ，１ｄ，１ｅ，１ｆ（図１（Ｂ）参照）に対して相対的に固定された固定リフレクタ３ａ１，３ａ２，３ｂ１，３ｂ２が設けられている。更に、図１（Ａ）に示すように、固定リフレクタ３ａ１，３ａ２，３ｂ１，３ｂ２が、リフレクタ群２から離間せしめられて配置されている。
【０１１０】
詳細には、第１の実施形態のＬＥＤ照明装置１００では、図２２および図２３に示す状態の時に、図３２に示すように、ＬＥＤ光源１ａの発光面から照射された光の一部が、リフレクタ２ｂの内側反射面２ｂ１（図３（Ｂ）参照）によって反射されて水平光になり、次いで、リフレクタ２ａの外側反射面２ａ２によって反射されて上向きの光になり、次いで、水平面ＰＬ１（図２（Ａ）参照）よりも上側（図２（Ａ）の左上側）に位置する固定リフレクタ３ａ１（図２（Ａ）参照）によって反射されて反射光Ｌ１ａ５になり、観察位置ＶＰに到達する。更に、図２２および図２３に示す状態の時に、図３２に示すように、ＬＥＤ光源１ｃの発光面から照射された光の一部が、リフレクタ２ｄの内側反射面２ｄ１（図３（Ｂ）参照）によって反射されて水平光になり、次いで、リフレクタ２ｃの外側反射面２ｃ２によって反射されて上向きの光になり、次いで、水平面ＰＬ１（図２（Ｂ）参照）よりも上側（図２（Ｂ）の右上側）に位置する固定リフレクタ３ｂ１（図２（Ｂ）参照）によって反射されて反射光Ｌ１ｃ５になり、観察位置ＶＰに到達する。
【０１１１】
更に、第１の実施形態のＬＥＤ照明装置１００では、図２４および図２５に示す状態の時に、図３３に示すように、ＬＥＤ光源１ａの発光面から照射された光の一部が、リフレクタ２ｂの内側反射面２ｂ１（図３（Ｂ）参照）によって反射されて上向きの光になり、次いで、水平面ＰＬ１（図２（Ａ）参照）よりも上側（図２（Ａ）の左上側）に位置する固定リフレクタ３ａ１（図２（Ａ）参照）によって反射されて反射光Ｌ１ａ６”になり、観察位置ＶＰに到達する。また、図２４および図２５に示す状態の時に、図３３に示すように、ＬＥＤ光源１ｃの発光面から照射された光の一部が、リフレクタ２ｄの内側反射面２ｄ１（図３（Ｂ）参照）によって反射されて上向きの光になり、次いで、水平面ＰＬ１（図２（Ｂ）参照）よりも上側（図２（Ｂ）の右上側）に位置する固定リフレクタ３ｂ１（図２（Ｂ）参照）によって反射されて反射光Ｌ１ｃ６”になり、観察位置ＶＰに到達する。
【０１１２】
また、第１の実施形態のＬＥＤ照明装置１００では、図３４に示すように、リフレクタ２ｂの内側反射面２ｂ１（図３（Ｂ）参照）の焦点２ｂ１ａを隔ててリフレクタ２ｂの内側反射面２ｂ１（図３（Ｂ）参照）の反対側に位置するＬＥＤ光源１ａの発光面から照射された光の一部が、リフレクタ２ｂの内側反射面２ｂ１（図３（Ｂ）参照）によって反射されて下向きの光になり、次いで、水平面ＰＬ１（図２（Ａ）参照）よりも下側（図２（Ａ）の右下側）に位置する固定リフレクタ３ａ２（図２（Ａ）参照）によって反射されて反射光Ｌ１ａ７’になり、観察位置ＶＰに到達する。更に、図３４に示すように、リフレクタ２ｄの内側反射面２ｄ１（図３（Ｂ）参照）の焦点２ｄ１ａを隔ててリフレクタ２ｄの内側反射面２ｄ１（図３（Ｂ）参照）の反対側に位置するＬＥＤ光源１ｃの発光面から照射された光の一部が、リフレクタ２ｄの内側反射面２ｄ１（図３（Ｂ）参照）によって反射されて下向きの光になり、次いで、水平面ＰＬ１（図２（Ｂ）参照）よりも下側（図２（Ｂ）の左下側）に位置する固定リフレクタ３ｂ２（図２（Ｂ）参照）によって反射されて反射光Ｌ１ｃ７’になり、観察位置ＶＰに到達する。
【０１１３】
更に、第１の実施形態のＬＥＤ照明装置１００では、図３５（Ａ）に示すように、ＬＥＤ光源１ａの発光面から照射され、リフレクタ２ａ，２ｂ，２ｃ，２ｄ，２ｅ，２ｆ（図１（Ａ）参照）の相互間の隙間４ａ，４ｂ，４ｃ，４ｄ，４ｅ，４ｆ（図１（Ａ）参照）のいずれかを透過した上向きの光の一部が、水平面ＰＬ１（図２（Ａ）参照）よりも上側（図２（Ａ）の左上側）に位置する固定リフレクタ３ａ１（図２（Ａ）参照）によって反射されて反射光Ｌ１ａ８になり、観察位置ＶＰに到達する。また、図３５（Ａ）に示すように、ＬＥＤ光源１ｃの発光面から照射され、リフレクタ２ａ，２ｂ，２ｃ，２ｄ，２ｅ，２ｆ（図１（Ａ）参照）の相互間の隙間４ａ，４ｂ，４ｃ，４ｄ，４ｅ，４ｆ（図１（Ａ）参照）のいずれかを透過した上向きの光の一部が、水平面ＰＬ１（図２（Ｂ）参照）よりも上側（図２（Ｂ）の右上側）に位置する固定リフレクタ３ｂ１（図２（Ｂ）参照）によって反射されて反射光Ｌ１ｃ８になり、観察位置ＶＰに到達する。
【０１１４】
また、第１の実施形態のＬＥＤ照明装置１００では、図３５（Ｂ）に示すように、ＬＥＤ光源１ｆの発光面から照射され、リフレクタ２ａ，２ｂ，２ｃ，２ｄ，２ｅ，２ｆ（図１（Ａ）参照）の相互間の隙間４ａ，４ｂ，４ｃ，４ｄ，４ｅ，４ｆ（図１（Ａ）参照）のいずれかを透過した上向きの光の一部が、水平面ＰＬ１（図２（Ａ）参照）よりも上側（図２（Ａ）の左上側）に位置する固定リフレクタ３ａ１（図２（Ａ）参照）によって反射されて反射光Ｌ１ｆ８になり、観察位置ＶＰに到達する。また、図３５（Ｂ）に示すように、ＬＥＤ光源１ｂの発光面から照射され、リフレクタ２ａ，２ｂ，２ｃ，２ｄ，２ｅ，２ｆ（図１（Ａ）参照）の相互間の隙間４ａ，４ｂ，４ｃ，４ｄ，４ｅ，４ｆ（図１（Ａ）参照）のいずれかを透過した上向きの光の一部が、水平面ＰＬ１（図２（Ｂ）参照）よりも上側（図２（Ｂ）の右上側）に位置する固定リフレクタ３ｂ１（図２（Ｂ）参照）によって反射されて反射光Ｌ１ｂ８になり、観察位置ＶＰに到達する。
【０１１５】
第４の実施形態では、上述した第１から第３の実施形態を適宜組み合わせることも可能である。
【産業上の利用可能性】
【０１１６】
本発明のＬＥＤ照明装置は、例えば車両用灯具、一般照明装置、演出用照明装置、遊技機用照明装置などのような観察者に発光状態を見せるためのＬＥＤ照明装置に適用可能である。
【符号の説明】
【０１１７】
１ａ，１ｂ，１ｃ，１ｄ，１ｅ，１ｆ              ＬＥＤ光源
１ａ’，１ｂ’，１ｃ’，１ｄ’，１ｅ’，１ｆ’  光軸
２                                              リフレクタ群
２’                                            中心軸線
２ａ，２ｂ，２ｃ，２ｄ，２ｅ，２ｆ              リフレクタ
２ａ１，２ｂ１，２ｃ１，２ｄ１，２ｅ１，２ｆ１  内側反射面
２ａ１ａ，２ｂ１ａ，２ｃ１ａ                    焦点
２ｄ１ａ，２ｅ１ａ，２ｆ１ａ                    焦点
２ａ１’，２ｂ１’，２ｃ１’                    回転中心軸
２ｄ１’，２ｅ１’，２ｆ１’                    回転中心軸
２ａ２，２ｂ２，２ｃ２，２ｄ２，２ｅ２，２ｆ２  外側反射面
２ａ２ａ，２ａ２ｂ，２ａ２ｃ                    部分
２ｂ２ａ，２ｂ２ｂ，２ｂ２ｃ                    部分
２ｂ２ａ’，２ｂ２ｂ’，２ｂ２ｃ’              部分
２ｃ２ａ，２ｃ２ｂ，２ｃ２ｃ                    部分
２ｆ２ａ，２ｆ２ｂ，２ｆ２ｃ                    部分
２ｇ                                            回転軸部
３                                              ベース部材
３ａ１，３ａ２，３ｂ１，３ｂ２                  リフレクタ
３ｃ                                            軸受部
３ｄ１，３ｄ２，３ｄ３，３ｄ４，３ｄ５，３ｄ６  開口
４ａ，４ｂ，４ｃ，４ｄ，４ｅ，４ｆ              隙間
５                                              基板
１００                                          ＬＥＤ照明装置
ＰＬ１，ＰＬ２                                  平面
ＣＲ                                            円
ＶＰ                                            観察位置
【図１】
2013197066.tif 000003
【図２】
2013197066.tif 000004
【図３】
2013197066.tif 000005
【図４】
2013197066.tif 000006
【図５】
2013197066.tif 000007
【図６】
2013197066.tif 000008
【図７】
2013197066.tif 000009
【図８】
2013197066.tif 000010
【図９】
2013197066.tif 000011
【図１０】
2013197066.tif 000012
【図１１】
2013197066.tif 000013
【図１２】
2013197066.tif 000014
【図１３】
2013197066.tif 000015
【図１４】
2013197066.tif 000016
【図１５】
2013197066.tif 000017
【図１６】
2013197066.tif 000018
【図１７】
2013197066.tif 000019
【図１８】
2013197066.tif 000020
【図１９】
2013197066.tif 000021
【図２０】
2013197066.tif 000022
【図２１】
2013197066.tif 000023
【図２２】
2013197066.tif 000024
【図２３】
2013197066.tif 000025
【図２４】
2013197066.tif 000026
【図２５】
2013197066.tif 000027
【図２６】
2013197066.tif 000028
【図２７】
2013197066.tif 000029
【図２８】
2013197066.tif 000030
【図２９】
2013197066.tif 000031
【図３０】
2013197066.tif 000032
【図３１】
2013197066.tif 000033
【図３２】
2013197066.tif 000034
【図３３】
2013197066.tif 000035
【図３４】
2013197066.tif 000036
【図３５】
2013197066.tif 000037